(57)【特許請求の範囲】
【請求項１】
吸引装置であって、
手術器具と連結するように構成された本体と、
物質の流れを受け取るように構成された、本体の遠位端に面して配置された入力ポートと、
吸引装置へ引き込まれる物質の吸引比率を調節するように構成された吸引制御部と、
吸引源に連結するように構成された、本体の近位端に面して配置された吸引ポートと、
吸引ポートに入力ポートを連結する、本体内に配置された吸引ルーメンと、
本体の遠位端に面して配置された、吸引ルーメンと流体連通する１つ以上の吸気ポートとを含む、吸引装置。
【請求項２】
手術器具を本体に連結するように構成された器具用保持具と、本体内に配置されるとともに吸引装置と手術器具の間に密封をもたらすように構成されたガスケットとをさらに含む、請求項１に記載の吸引装置。
【請求項３】
１つ以上の吸気ポートが入力ポートと吸引ポートとの間に配置され、入力ポート上に配置され、またはその組み合わせである、請求項１に記載の吸引装置。
【請求項４】
吸引制御部は、入力ポートでの吸引の力を制御するように構成される、請求項１に記載の吸引装置。
【請求項５】
吸引制御部はユーザーによって調節可能に構成された摺動部材を含み、摺動部材は入力ポートで気体の排出、液体の排出、またはその組み合わせを調節する、請求項４に記載の吸引装置。
【請求項６】
吸引制御部は、ユーザーにより制御される位置に吸引制御部を位置付けるように構成された戻り止めを含む、請求項４に記載の吸引装置。
【請求項７】
吸引制御部は摩擦を使用して、ユーザーにより制御される位置に吸引制御部を位置付けるように構成される、請求項４に記載の吸引装置。
【請求項８】
吸引制御部はガスケットと一体的である、請求項４に記載の吸引装置。
【請求項９】
ガスケットは、ユーザーが障害物を取り除くために操作することができるように構成された可撓性膜を含む、請求項１に記載の吸引装置。
【請求項１０】
吸引ルーメンは、本体が手術器具と連結しているときには閉じられる開口部を含み、ユーザーが手術器具を取り外し、吸引装置から障害物を取り除くことができるように構成される、請求項１に記載の吸引装置。
【請求項１１】
入力ポートの近くで吸引を生じさせるためにコアンダ効果を利用するように構成された、本体の遠位端の近くに配置された正圧作動式の流体加速装置をさらに含む、請求項１に記載の吸引装置。
【請求項１２】
ツールまたは他の装置を使用することなくノズルを着脱するように構成されたノズルアダプタをさらに含む、請求項１に記載の吸引装置。
【請求項１３】
ノズルをさらに含む、請求項１に記載の吸引装置。
【請求項１４】
ノズルは１つ以上の吸気ポートを含む、請求項１３に記載の吸引装置。
【請求項１５】
吸引制御部は、吸引装置によって吸引された液体、固体、または気体の物質の流れを変えるために１つ以上の吸気ポートの少なくとも１つを開け閉めするように構成される、請求項１４に記載の吸引装置。
【請求項１６】
入力ポート、１つ以上の吸気ポート、またはその組み合わせは、二重スカラップ形状を含む、請求項１に記載の吸引装置。
【請求項１７】
入力ポートと吸引ポートとの間に配置される１つ以上の吸気ポートは、ベンチュリ効果を利用するように構成される、請求項１に記載の吸引装置。
【請求項１８】
吸引ルーメンは、入力ポートと吸引ポートとの間に狭窄部を含む、請求項１に記載の吸引装置。
【請求項１９】
入力ポートと吸引ポートとの間に配置された１つ以上の吸気ポートは、狭窄部で吸引ルーメンに流体的に連結される、請求項１８に記載の吸引装置。
【請求項２０】
入力ポートと吸引ポートとの間に配置された１つ以上の吸気ポートは、ａ）狭窄部の吸引ルーメンの円周方向回りに、ｂ）狭窄部の吸引ルーメンに沿って直列状に、またはｃ）その組み合わせで位置付けられる、請求項１９に記載の吸引装置。
【請求項２１】
入力ポートと吸引ポートとの間に配置された１つ以上の吸気ポートは、吸引ルーメン内の物質の流れの圧力差が最大のところで吸引ルーメンに流体的に連結される、請求項１８に記載の吸引装置。
【請求項２２】
入力ポートと吸引ポートとの間に配置された１つ以上の吸気ポートは、吸引ルーメン内の最も狭いところで吸引ルーメンに流体的に連結される、請求項１８に記載の吸引装置。
【請求項２３】
吸引ルーメンの形状は、吸引ルーメンを通る物質の流れの層状のプロファイルを増強する、請求項１に記載の吸引装置。
【請求項２４】
吸引ルーメンの形状は、吸引ルーメンと流体連通した１つ以上の吸気ポートの縁であり、縁は本体に対して９０度未満の角度を形成する、請求項２３に記載の吸引装置。
【請求項２５】
吸引装置に取り付け可能なフィルタをさらに含み、フィルタは１つ以上の吸気ポートを実質的に覆い、フィルタは固体が１つ以上の吸気ポートを通って吸引ルーメンに入ることを防ぐ、請求項１に記載の吸引装置。
【請求項２６】
フィルタは、１００マイクロメートル以下の孔径を含む、請求項２５に記載の吸引装置。
【請求項２７】
入力ポートと、入力ポートおよび吸引ポートの間に配置された１つ以上の吸気ポートとの間に配置されたエマルジョン部分をさらに含み、エマルジョン部分は内部ルーメンと外部ルーメンを含み、内部ルーメンは物質の流れの少なくとも一部が通る２つ以上の穴を含む、請求項１に記載の吸引装置。
【請求項２８】
２つ以上の穴は、内部ルーメンの長さに沿って環状に間隔を置いて配される、請求項２７に記載の吸引装置。
【発明の詳細な説明】
【技術分野】
【０００１】
＜相互参照＞
本出願は、２０１４年１０月２４日に出願された米国仮出願第６２／０６８，１５６号と、２０１５年１０月１９日に出願された米国仮出願第６２／２４３，４２２号の利益を主張するものであり、両出願とも参照により本明細書に完全に組み込まれる。
【背景技術】
【０００２】
術野のような領域から気体や流体を同時に除去することは、危険な副産物への接触を減らし、かつユーザーの視感度を増加させるために重要である。最新の手術装置では、気体と液体の両方の成分を含む物質の流れの吸引処理がお粗末である。
【発明の概要】
【０００３】
術野のような領域からの物質の流れを吸引するための装置、システム、および方法が本明細書に記載されている。
【０００４】
本開示の態様は、以下を含む吸引装置を提供する：（ａ）手術器具と連結するように構成されたまたは手術器具と一体型の本体；（ｂ）物質の流れを受け取るように構成された、本体の遠位端に面して配置された入力ポート；（ｃ）吸引源に連結するように構成された、本体の近位端に面して配置された吸引ポート；（ｄ）吸引ポートに入力ポートを連結する、本体内に配置された吸引ルーメン；および、（ｅ）本体の遠位端に面して配置された、吸引ルーメンと流体連通する１つ以上の吸気ポート。
【０００５】
いくつかの実施形態では、吸引装置は、手術器具を本体に連結するように構成された器具用保持具と、本体内に配置されるとともに吸引装置と手術器具の間に密封をもたらすように構成されたガスケットとをさらに含む。いくつかの実施形態では、本体は手術器具と連結するように構成される。いくつかの実施形態では、１つ以上の吸気ポートは入力ポートと吸引ポートとの間に配置され、入力ポート上に配置され、またはその組み合わせである。
【０００６】
いくつかの実施形態では、吸引装置は吸引制御部をさらに含む。いくつかの実施形態では、吸引制御部はユーザーによって調節可能に構成される。いくつかの実施形態では、吸引制御部は入力ポートで吸引能力を調節する。いくつかの実施形態では、吸引制御部は、ユーザーによって調節可能に構成された摺動部材を含む。いくつかの実施形態では、摺動部材は入力ポートで気体の排出、液体の排出、またはその組み合わせを調節する。いくつかの実施形態では、吸引制御部は、ユーザーにより制御される位置に吸引制御部を位置付けるように構成された戻り止めを含む。いくつかの実施形態では、吸引制御部は摩擦を使用して、ユーザーにより制御される位置に吸引制御部を位置付けるように構成される。いくつかの実施形態では、吸引制御部はガスケットと一体的である。いくつかの実施形態では、ガスケットは、ユーザーが障害物を取り除くために操作することができるように構成された可撓性膜を含む。
【０００７】
いくつかの実施形態では、吸引ルーメンは、ユーザーが手術器具を取り外し、吸引装置から障害物を取り除くことができるように構成された、手術器具の取り付けによって閉じられる開口部を含む。
【０００８】
いくつかの実施形態では、吸引装置はさらに、入力ポートの近くで吸引を生じさせるコアンダ効果を利用するように構成された、本体の遠位端の近くに配置された正圧作動式の流体加速装置を含む。
【０００９】
いくつかの実施形態では、吸引装置は、ツールまたは他の装置を使用することなくノズルを着脱するように構成されたノズルアダプタをさらに含む。いくつかの実施形態では、吸引装置はさらにノズルを含む。いくつかの実施形態では、ノズルは１つ以上の吸気ポートを含む。
【００１０】
いくつかの実施形態では、吸引装置は、吸引装置によって吸引された液体、固体、または気体の物質の流れを変えるために１つ以上の吸気ポートの少なくとも１つを開け閉めするように構成された吸引制御部をさらに含む。
【００１１】
いくつかの実施形態では、入力ポート、１つ以上の吸気ポート、またはその組み合わせは、２重のスカラップ（ｓｃａｌｌｏｐ）形状を含む。いくつかの実施形態では、１つ以上の吸気ポートが入力ポートと吸引ポートの間に配置され、ベンチュリ効果を利用するように構成される。いくつかの実施形態では、吸引ルーメンは、入力ポートと吸引ポートとの間に狭窄部を含む。いくつかの実施形態では、入力ポートと吸引ポートとの間に配置された１つ以上の吸気ポートは、狭窄部で吸引ルーメンに流体的に連結される。いくつかの実施形態では、入力ポートと吸引ポートの間に配置された１つ以上の吸気ポートは、ａ）狭窄部の吸引ルーメンの円周方向回りに、ｂ）狭窄部の吸引ルーメンに沿って直列状に、またはｃ）その組み合わせで位置付けられる。いくつかの実施形態では、入力ポートと吸引ポートの間に配置された１つ以上の吸気ポートは、吸引ルーメン内の物質の流れの圧力差が最大のところで吸引ルーメンに流体的に連結される。いくつかの実施形態では、入力ポートと吸引ポートの間に配置された１つ以上の吸気ポートは、吸引ルーメン内の最も狭いところで吸引ルーメンに流体的に連結される。
【００１２】
いくつかの実施形態では、吸引ルーメンの形状は、吸引ルーメンを通る物質の流れの層状のプロファイルを増強する。いくつかの実施形態では、その形状は、吸引ルーメンと流体連通した１つ以上の吸気ポートの縁である。いくつかの実施形態では、縁は、本体に対して９０度未満の角度を形成する。
【００１３】
いくつかの実施形態では、吸引装置は吸引装置に取り付け可能なフィルタをさらに含む。いくつかの実施形態では、フィルタは１つ以上の吸気ポートを実質的に覆う。いくつかの実施形態では、フィルタは、固体が１つ以上の吸気ポートを通って吸引ルーメンに入ることを防ぐ。いくつかの実施形態では、フィルタは、１００マイクロメートル以下の孔径を含む。
【００１４】
いくつかの実施形態では、吸引装置は、入力ポートと、入力ポートおよび吸引ポートの間に配置された１つ以上の吸気ポートとの間に配置されたエマルジョン部分をさらに含む。いくつかの実施形態では、エマルジョン部分は内部ルーメンと外部ルーメンを含む。いくつかの実施形態では、内部ルーメンは、物質の流れの少なくとも一部が通る１つ以上の穴を含む。いくつかの実施形態では、１つ以上の穴は、内部ルーメンの長さに沿って環状または螺旋状に間隔を置いて配される。
【００１５】
本開示の別の態様は、術野に吸引力をもたらす方法を提供する。方法は吸引装置を提供する工程を含み、吸引装置は、（ａ）手術器具と連結するように構成されたまたは手術器具と一体型の本体；（ｂ）物質の流れを受け取るように構成された、本体の遠位端に面して配置された入力ポート；（ｃ）吸引源に連結するように構成された、本体の近位端に面して配置された吸引ポート；（ｄ）吸引ポートに入力ポートを連結する、本体内に配置された吸引ルーメン；および、（ｅ）本体の遠位端に面して配置された、吸引ルーメンと流体連通する１つ以上の吸気ポートを含む。
【００１６】
いくつかの実施形態では、吸引装置は、手術器具を本体に連結するように構成された器具用保持具と、本体内に配置されるとともに吸引装置と手術器具の間に密封をもたらすように構成されたガスケットとをさらに含む。いくつかの実施形態では、本体は手術器具に取り付け可能である。いくつかの実施形態では、１つ以上の吸気ポートは入力ポートと吸引ポートとの間に配置され、入力ポート上に配置され、またはその組み合わせである。
【００１７】
いくつかの実施形態では、吸引装置は、入力ポートと吸引ポートの間に配置された１つ以上の吸気ポートを備えていない吸引装置と比較して、入力ポートで少なくとも３倍の吸引能力を生じさせる。いくつかの実施形態では、吸引装置は、入力ポートと吸引ポートの間に配置された１つ以上の吸気ポートを備えていない吸引装置と比較して、入力ポートで少なくとも２倍の吸入面積を生じさせる。
【００１８】
いくつかの実施形態では、吸引装置は、入力ポートと、入力ポートおよび吸引ポートの間に配置された１つ以上の吸気ポートとの間に配置されたエマルジョン部分をさらに含む。いくつかの実施形態では、エマルジョン部分は内部ルーメンと外部ルーメンを含む。いくつかの実施形態では、内部ルーメンは１つ以上の穴を含む。いくつかの実施形態では、方法は、物質の流れの少なくとも一部を１つ以上の穴を通過させる工程であって、それによって物質の流れの少なくとも一部を泡立たせる、工程をさらに含む。
【００１９】
いくつかの実施形態では、方法は、吸引制御部を使用して入力ポートで吸引能力を調節する工程をさらに含む。いくつかの実施形態では、方法は、摺動部材を使用して、入力ポートで気体の吸引、液体の吸引、またはその組み合わせを調節する工程をさらに含む。
【００２０】
いくつかの実施形態では、方法は、障害物を取り除くためにガスケットを操作する工程をさらに含む。いくつかの実施形態では、方法はガスケットに含まれる障害物除去ポートを通って障害物を除去する工程をさらに含む。
＜参照による組み込み＞
【００２１】
本明細書で言及される全ての出版物、特許、および特許出願は、あたかも個々の出版物、特許、または特許出願が引用によって組み込まれるよう具体的かつ個別に示されるかのような同程度まで引用により本明細書に組み込まれる。
【図面の簡単な説明】
【００２２】
本明細書に記載される主題の新規な特徴は添付の請求項で具体的に説明される。本明細書に記載される主題の原則が用いられている具体的な実施形態を説明する以下の詳細な記載を参照することで、本主題の特徴と利点がより良く理解されるであろう。
【図１】吸引装置を例証するブロック図である。
【図２】吸引システムの動作を例証するブロック図である。
【図３】吸引システムを動作させる方法を例証する概略図である。
【図４】ノズルを備える吸引装置を例証するブロック図である。
【図５】吸引制御部を備える吸引装置を例証するブロック図である。
【図６】吸引制御部を備える吸引システムの動作を例証するブロック図である。
【図７】吸引制御部を備える吸引システムを動作させる方法を例証するブロック図である。
【図８】吸引装置を例証するブロック図である。
【図９】吸引システムの動作を例証するブロック図である。
【図１０】吸引システムを動作させる方法を例証する概略図である。
【図１１Ａ】正圧作動式の吸引装置を例証するブロック図である。
【図１１Ｂ】正圧作動式の吸引装置の動作を例証するブロック図である。
【図１１Ｃ】正圧作動式の吸引装置の動作を例証するブロック図である。
【図１２】正圧作動式の吸引装置を動作させる方法を例証する概略図である。
【図１３Ａ】吸引システムの動作を例証するブロック図である。
【図１３Ｂ】障害物がある場合の吸引システムの動作を例証するブロック図である。
【図１３Ｃ】吸引システムにおける除去動作を例証するブロック図である。
【図１４】吸引システムを動作させる方法を例証する概略図である。
【図１５】吸引システムを例証するブロック図である。
【図１６】吸引システムを動作させる方法を例証する概略図である。
【図１７Ａ】手術器具を備える吸引装置を例証する概略図である。
【図１７Ｂ】手術器具を備える吸引装置を例証する分解図である。
【図１７Ｃ】手術器具を備える吸引装置の動作を例証する断面図である。
【図１８Ａ】手術器具を備える吸引装置を例証する概略図である。
【図１８Ｂ】手術器具を備える吸引装置を例証する分解図である。
【図１８Ｃ】手術器具を備える吸引装置の動作を例証する断面図である。
【図１９Ａ】手術器具を備える吸引装置を例証する概略図である。
【図１９Ｂ】手術器具を備える吸引装置を例証する分解図である。
【図２０Ａ】手術器具を備える吸引装置を例証する概略図である。
【図２０Ｂ】手術器具を備える吸引装置を例証する分解図である。
【図２１Ａ】手術器具を備える吸引装置を例証する概略図である。
【図２１Ｂ】手術器具を備える吸引装置を例証する分解図である。
【図２１Ｃ】障害物がある場合の手術器具を備える吸引装置の動作を例証する概略図である。
【図２１Ｄ】手術器具を備える吸引装置における除去動作を例証する概略図である。
【図２２】手術器具を備えた吸引装置を動作させる方法を例証する概略図である。
【図２３Ａ】手術器具を備える吸引装置を例証する概略図である。
【図２３Ｂ】手術器具を備える吸引装置を例証する分解図である。
【図２３Ｃ】障害物がある場合の手術器具を備える吸引装置の動作を例証する概略図である。
【図２３Ｄ】手術器具を備える吸引装置における除去動作を例証する概略図である。
【図２４】手術器具を備える吸引装置を動作させる方法を例証する概略図である。
【図２５Ａ】手術器具を備える吸引装置を例証する概略図である。
【図２５Ｂ】手術器具を備える吸引装置を例証する分解図である。
【図２５Ｃ】障害物がある場合の手術器具を備える吸引装置の動作を例証する概略図である。
【図２５Ｄ】手術器具を備える吸引装置における除去動作を例証する概略図である。
【図２６】手術器具を備える吸引装置を動作させる方法を例証する概略図である。
【図２７】エマルジョン部分を示す。
【図２８】装置と装置を通る流路との断面図を示す。
【図２９】狭窄部またはベンチュリ効果からルーメン中で生成される圧力差を示す。
【図３０】装置の断面図を示す。
【図３１】ＡとＢは、吸気ポートの設置と入力ポートのスカラップ状の縁部を例証する。
【図３２Ａ】装置の様々な構成要素の構成を示す別々のフロー図を例証する。
【図３２Ｂ】装置の様々な構成要素の構成を示す別々のフロー図を例証する。
【図３２Ｃ】装置の様々な構成要素の構成を示す別々のフロー図を例証する。
【図３３】装置の断面図を示す。
【図３４Ａ】吸気ポートを備えていない装置を囲む流れ領域の計算流体力学（ＣＦＤ）プロットを例証する。
【図３４Ｂ】吸気ポートを備える装置を囲む流れ領域の計算流体力学（ＣＦＤ）プロットを例証する。
【図３５】吸気ポートを備えていない装置を囲む流れ領域のＣＦＤプロットを示す。
【図３６】吸気ポートを備える装置を囲む流れ領域のＣＦＤプロットを示す。
【図３７】吸気ポートが狭窄部に設置された状態で、狭窄部またはベンチュリ効果からルーメン中で生成される圧力差を示す。
【図３８】吸気ポートが狭窄部に設置された状態で、狭窄部またはベンチュリ効果からルーメン中で生成される圧力差を示す。
【図３９】装置の吸引ルーメンに沿った吸気ポートの位置付けを示す。
【図４０】装置の吸引ルーメンに沿った吸気ポートの位置付けを示す。
【図４１】装置の吸引ルーメンに沿った吸気ポートの位置付けを示す。
【発明を実施するための形態】
【００２３】
吸引装置のための装置、方法、およびシステムが本明細書に記載されている。本明細書で開示される本発明の概念の少なくとも１つの実施形態について説明する前に、本発明の概念が、以下の記載で説明される、または図面で例証される構成要素の構築、実験、例示的なデータ、および／または、配置に対する適用に限定されないことを理解されたい。ここで開示および主張される本発明の概念は、他の実施形態であり得るか、あるいは様々な方法で実施または実行され得る。さらに、本明細書で使用される表現や用語は記載目的のためだけに過ぎず、いかなる手法でも限定するようなものとみなされてはならない。
【００２４】
本明細書に記載される主題の実施形態の以下の詳細な記載では、発明概念を完全に理解するために多くの特定の詳細について説明されている。しかしながら、本開示内の本発明の概念がこうした特定の詳細なしで実行されることもあることは当業者には明らかである。
【００２５】
用語「約」は、参照数字の表示がその参照数字の表示のプラス−１５％であることを意味する。
【００２６】
さらに、逆の特段の定めのない限り、「または（ｏｒ）」とは、包括的な「または（ｏｒ）」、および排他的な「または（ｏｒ）」を指す。例えば、条件ＡまたはＢとは、以下のいずれか１つによって満たされる：Ａは真であり（または存在する）Ｂは偽である（または存在しない）、Ａは偽であり（または存在しない）Ｂは真である（または存在する）、および、ＡとＢの両方が真実ある（または存在する）。
【００２７】
加えて、「１つ（ａまたはａｎ）」の使用は、本明細書の実施形態の要素と構成要素を記載するために用いられている。これは単に便宜上のために、かつ本発明の概念の一般的な意味を与えるためになされるにすぎない。本記載は１つまたは少なくとも１つを含むように読まれなければならず、複数を意味しないことが明らかでない限り、単数は複数も含む。
【００２８】
本明細書で使用されるような用語「被験体」とは、ヒト被験体または任意の動物の被験体を指すことがある。
【００２９】
最後に、本明細書で使用されるように、「１つの実施形態」または「実施形態」に対するいかなる言及も、その実施形態に関連して記載される特定の要素、特徴、構造、または特性が少なくとも１つの実施形態に含まれることを意味する。本明細書の様々な箇所で「１つの実施形態で」との成句が出てくるが、それは必ずしもすべてが同じ実施形態を差しているわけではない。
【００３０】
吸引装置が示され、記載されている。吸引装置は、手術器具に取り付けられるように構成された本体を含む。いくつかの実施形態では、本体は手持ちの操作のために形成されてもよい。いくつかの実施形態では、本体は手術器具に取り付けられるように構成されてもよい。吸引装置は、物質の流れを受け取るように構成された本体の遠位端に面して配置された入力ポートを含む。吸引装置は、吸引源に連結されるように構成された本体の近位端に面して配置された吸引ポートを含む。吸引装置は、入力ポートを吸引ポートに連結する本体内に配置された吸引ルーメンを含む。吸引装置は、手術器具を本体に連結するように構成された器具用保持具を含む。吸引装置は、本体内に配置されるとともに、吸引装置と手術器具との間で密封をもたらすように構成されたガスケットを含む。
【００３１】
いくつかの実施形態では、吸引装置は、ユーザー入力が入力ポートでの吸引を制御するように構成された吸引制御部を含んでもよい。いくつかの実施形態では、吸引制御部は、ユーザー入力を受け取るように構成された摺動部材を含んでもよい。いくつかの実施形態では、吸引制御部は、あらかじめ決められた位置に吸引制御部を配置するように構成された戻り止めを含んでもよい。いくつかの実施形態では、吸引制御部は、あらかじめ決められた位置に吸引制御部を配置するためにガスケットによって供給される摩擦を使用することがある。いくつかの実施形態では、吸引ルーメンは、吸引ルーメンと手術器具の間に配置された可撓性膜を含むガスケットを含んでもよく、可撓性膜は、ユーザーが手術器具を取り外し、可撓性膜を操作して障害物を取り除くことができるように構成される。いくつかの実施形態では、吸引ルーメンは、ユーザーが手術器具を取り外し、障害物を除去することができるように構成された、手術器具の取り付けによって閉じられる開口部を含んでもよい。いくつかの実施形態では、吸引装置は、ベンチュリ効果を利用するように構成される吸引ポートを含んでもよい。いくつかの実施形態では、吸引装置は、コアンダ効果を用いて入力ポートで吸引を生じさせるように構成された、本体の遠位端の近くに配された正圧作動式の吸引要素を含んでもよい。いくつかの実施形態では、吸引装置は、様々なノズルを受け入れるように構成されたノズルアダプタを含んでもよい。いくつかの実施形態では、ノズルは、ノズルの遠位端の近くに配置された吸引ポートを含んでもよい。いくつかの実施形態では、吸引装置は、吸引装置内の吸引ポートを閉じ、かつノズルの遠位端の近くに配置された吸引ポートを開くように構成された吸引制御部を含んでもよい。
【００３２】
図１は吸引装置（１００）を例証するブロック図である。吸引装置（１００）は入力ポート（１０４）、吸引ポート（１０６）、吸引ルーメン（１０８）、器具用保持具（１１２）、およびガスケット（１１４）を含む。吸引装置（１００）は物質を吸引するように構成される。物質は液体、固体、および気体を含み得る。物質は手術の副産物、煙、および有害なエアロゾルをさらに含むことがある。吸引装置（１００）は吸引源に連結されるように構成される。吸引源は、真空ポンプ、吸引器、コアンダ効果を利用するように構成された正圧作動式の吸引源、または吸引を生じさせるいくつかの他の手段であってもよい。吸引源は、入力ポート（１０４）の近くに低圧領域を生成する。低圧領域は周囲の気圧以下の圧力であり、したがって物質の流れを入力ポート（１０４）へと引き込ませる。いくつかの実施形態では、吸引装置（１００）は、器具用保持具（１１２）によって手術器具に連結されるように構成されてもよい。吸引装置（１００）から利益を得ることがあるいくつかの手術器具は、熱伝導、ジアテルミー、無線周波、およびレーザー手術法を使用する電気手術器具を含む。
【００３３】
吸引装置（１００）は入力ポート（１０４）を含む。入力ポート（１０４）は物質の流れを受け取るように構成される。物質の流れは液体、気体、および固体を含み得る。物質の流れは体液、手術の副産物、および煙を含み得る。入力ポート（１０４）は物質の流れ（１２０）を吸引ルーメン（１０８）へ供給するように構成される。入力ポート（１０４）は吸引装置（１００）の遠心端に面して配置される。入力ポート（１０４）は吸引ルーメン（１０８）に連結される。いくつかの実施形態では、入力ポート（１０４）は、コアンダ効果を利用するように構成された正圧作動式の吸引装置を含んでもよい。
【００３４】
吸引装置（１００）は吸引ポート（１０６）を含む。吸引ポート（１０６）は吸引ルーメン（１０８）から物質の流れを受け取るように構成される。吸引ポート（１０６）は物質の流れを放出するようにも構成される。吸引ポート（１０６）は吸引装置（１００）の近位端に配置される。吸引ポート（１０６）は吸引ルーメン（１０８）に連結される。吸引ポート（１０６）は吸引源に連結されてもよい。吸引源は真空ポンプ、吸引器、コアンダ効果を利用するように構成された正圧作動式の吸引源、または吸引を生じさせる複数の他の手段を含んでもよい。いくつかの実施形態では、吸引システムは、物質の流れから廃棄物を取り除くために吸引ポート（１０６）と吸引源との間に配置された分離器を含むことがある。
【００３５】
吸引装置（１００）は吸引ルーメン（１０８）を含む。吸引ルーメン（１０８）は、入力ポート（１０４）を吸引ポート（１０６）へ連結するように構成される。吸引ルーメン（１０８）は吸引装置（１００）内に配置される。いくつかの実施形態では、吸引ルーメン（１０８）は完全に囲まれてもよい。いくつかの実施形態では、吸引ルーメン（１０８）は、障害物が吸引ルーメン（１０８）から取り除かれることを可能にするように構成された開口部を含んでもよい。開口部はガスケット（１１４）によって覆われ、密閉されてもよい。開口部は手術器具の取り付けによって密閉されるようにも構成されてもよい。
【００３６】
吸引装置（１００）は器具用保持具（１１２）を含む。器具用保持具（１１２）は吸引装置（１００）を手術器具に連結するように構成される。器具用保持具（１１２）により、ツールを使用することなく、手術器具を吸引装置（１００）に取り付けたり、手術器具を吸引装置（１００）から取り外したりすることができる。いくつかの実施形態では、器具用保持具（１１２）は、手術器具の特定の型とモデルとを受け入れるように構成されてもよい。いくつかの実施形態では、器具用保持具（１１２）は、ツールを用いずに手術器具を迅速に取り付けたり取り外したりすることができるようにクリップ型構造を含むように構成されてもよい。
【００３７】
吸引装置（１００）はガスケット（１１４）を含む。ガスケット（１１４）は吸引装置（１００）と手術器具との間に密封を形成するように構成される。ガスケット（１１４）は、吸引源からの吸引が吸引装置（１００）と手術器具の界面との間で漏れるのを防ぐことがある。いくつかの実施形態では、ガスケット（１１４）は、障害物を除去するために吸引ルーメン（１０８）へのアクセスを提供するように構成された障害物除去ポートを含むように構成されることがある。この構造により、ユーザーは、手術器具を取り外し、吸引ルーメン（１０８）に直接アクセスして、障害物を除去することができる。いくつかの実施形態では、ガスケット（１１４）は、吸引ルーメン（１０８）内の障害物を取り除くために操作されるように構成された可撓性膜から成ることもある。
【００３８】
図２は吸引システム（２００）の動作を例証するブロック図である。吸引システム（２００）は吸引装置（２０２）と吸引源（２１８）を含む。吸引装置（２０２）は吸引装置（１００）の一例である。しかしながら、吸引装置（２０２）は代替的な構造と動作方法を含むことがある。吸引装置（２０２）は、入力ポート（２０４）、吸引ポート（２０６）、吸引ルーメン（２０８）、器具用保持具（２１２）、およびガスケット（２１４）を含む。
【００３９】
吸引システム（２００）は吸引装置（２０２）を含む。吸引装置（２０２）は物質を吸引するように構成される。物質は液体、固体、および気体を含み得る。物質は手術の副産物、煙、および有害なエアロゾルをさらに含むことがある。吸引装置（２０２）は吸引源（２１８）に連結されるように構成される。吸引源（２１８）は、真空ポンプ、吸引器、コアンダ効果を利用するように構成された正圧作動式の吸引源、または吸引を生じさせる複数の他の手段であってもよい。吸引源（２１８）は、入力ポート（２０４）の近くに低圧領域（２２２）を生成する。低圧領域（２２２）は周囲の気圧以下の圧力であり、したがって、物質の流れ（２２０）を入力ポート（２０４）へと引き込ませる。いくつかの実施形態では、吸引装置（２０２）は器具用保持具（２１２）によって手術器具に連結されるように構成されてもよい。吸引装置（２０２）から利益を得ることがあるいくつかの手術器具は、熱伝導、ジアテルミー、無線周波、およびレーザー手術法を使用する電気手術器具を含む。
【００４０】
吸引装置（２０２）は入力ポート（２０４）を含む。入力ポート（２０４）は物質の流れ（２２０）を受け取るように構成される。物質の流れ（２２０）は液体、気体、および固体を含むことがある。物質の流れ（２２０）は体液、手術の副産物、および煙を含むことがある。入力ポート（２０４）は吸引装置（２０２）の遠位端に面して配置される。入力ポート（２０４）は吸引ルーメン（２０８）に連結される。入力ポート（２０４）は物質の流れ（２２０）を吸引ルーメン（２０８）へ供給するように構成される。
【００４１】
吸引装置（２０２）は吸引ポート（２０６）を含む。吸引ポート（２０６）は吸引ルーメン（２０８）から物質の流れ（２２０）を受け取るように構成される。吸引ポート（２０６）は吸引装置（２０２）の近位端に配置される。吸引ポート（２０６）は吸引ルーメン（２０８）に連結される。吸引ポート（２０６）は物質の流れ（２２０）を放出するように構成される。吸引ポート（２０６）は吸引源（２１８）に連結される。吸引源（２１８）は真空ポンプ、吸引器、コアンダ効果を利用するように構成された正圧作動式の吸引源、または吸引を生じさせる複数の他の手段を含むことがある。いくつかの実施形態では、吸引システム（２００）は、物質の流れ（２２０）から廃棄物を取り除くために吸引ポート（２０６）と吸引源（２１８）との間に配置された分離器を含むことがある。
【００４２】
吸引装置（２０２）は吸引ルーメン（２０８）を含む。吸引ルーメン（２０８）は入力ポート（２０４）を吸引ポート（２０６）に連結するように構成される。吸引ルーメン（２０８）は吸引装置（２０２）内に配置される。いくつかの実施形態では、吸引ルーメン（２０８）は完全に囲まれてもよい。いくつかの実施形態では、吸引ルーメン（２０８）は、障害物が吸引ルーメン（２０８）から取り除かれることを可能にするように構成された開口部を含んでもよい。
【００４３】
吸引装置（２０２）は器具用保持具（２１２）を含む。器具用保持具（２１２）は吸引装置（２０２）を手術器具に連結するように構成される。器具用保持具（２１２）により、ツールを使用することなく、手術器具を吸引装置（２０２）に取り付けたり、手術器具を吸引装置（２０２）から取り外したりすることができる。いくつかの実施形態では、器具用保持具（２１２）は、手術器具の特定の型とモデルとを受け入れるように構成されてもよい。いくつかの実施形態では、器具用保持具（２１２）は、ツールを用いずに手術器具を迅速に取り付けたり取り外したりすることができるようにクリップ型構造を含むように構成されてもよい。
【００４４】
吸引装置（２０２）はガスケット（２１４）を含む。ガスケット（２１４）は吸引装置（２０２）と手術器具との間に密封を形成するように構成される。ガスケット（２１４）は、吸引源からの吸引が吸引装置（２０２）と手術器具の界面との間で漏れるのを防ぐことがある。いくつかの実施形態では、ガスケット（２１４）は、障害物を取り除くために吸引ルーメン（２０８）へのアクセスを可能にするように構成された障害物除去ポートを含むことがある。この構造により、ユーザーは、手術器具を取り外し、吸引ルーメン（２０８）に直接アクセスして、障害物を除去することができる。いくつかの実施形態では、ガスケット（２１４）は、吸引ルーメン（２０８）内の障害物を取り除くために操作されるように構成された可撓性膜を含んでもよい。
【００４５】
吸引システム（２００）は吸引源（２１８）を含む。吸引源（２１８）は吸引装置（２０２）に吸引を供給するように構成される。吸引源は、真空ポンプ、吸引器、コアンダ効果を利用するように構成された正圧作動式の吸引源、または吸引を生じさせる複数の他の手段であってもよい。
【００４６】
図３は吸引装置を動作させる方法を例証する概略図である。図３に例証された工程は、吸引システム（２００）の１つ以上の要素によって行われ得る。吸引は吸引装置（３０２）の吸引ポートに適用される。例えば、吸引ポート（２０６）は吸引源（２１８）に連結されるように構成される。吸引源（２１８）は吸引装置（２０２）の吸引ポート（２０６）に吸引を適用するように構成される。低圧領域は吸引装置（３０４）の入力ポートの近くで生成される。例えば、入力ポート（２０４）は吸引ルーメン（２０８）によって吸引ポート（２０６）に連結される。吸引源（２１８）からの吸引は、入力ポート（２０４）の近くに低圧領域（２２２）を生成するために使用される。物質の流れは入力ポート（３０６）へ引き込まれる。例えば、入力ポート（２０４）は物質の流れ（２２０）を受け取るように構成される。低圧領域（２２２）は周囲の気圧以下の圧力である。低圧領域（２２２）により、物質の流れ（２２０）は入力ポート（２０４）へ引き込まれる。物質の流れは吸引ポート（３０８）から放出される。例えば、入力ポート（２０４）は吸引ルーメン（２０８）によって吸引ポート（２０６）に連結される。吸引ルーメン（２０８）は物質の流れ（２２０）を吸引ポート（２０６）へ供給するように構成される。吸引ポート（２０６）は吸引装置（２０２）から物質の流れ（２２０）を放出するように構成される。
【００４７】
図４はノズル（４００）を備える吸引装置を例証するブロック図である。ノズルを備えた吸引装置は吸引装置（４０２）を含む。吸引装置（４０２）は吸引装置（１００）と吸引装置（２０２）の一例である。しかしながら、吸引装置（４０２）はノズル取り付け部（４２４）とノズル（４２６）を含む。ノズルを備える吸引装置（４００）は、入力ポート（４０４）、吸引ポート（４０６）、吸引ルーメン（４０８）、器具用保持具（４１２）、ガスケット（４１４）、ノズル取り付け部（４２４）、およびノズル（４２６）を含む。
【００４８】
ノズルを備える吸引装置（４００）は入力ポート（４０４）を含む。入力ポート（４０４）は、ノズル（４２６）とノズル取り付け部（４２４）から物質の流れを受け取るように構成される。物質の流れは液体、気体、および固体を含み得る。物質の流れは体液、手術の副産物、および煙を含み得る。入力ポート（４０４）はノズルを備える吸引装置（４００）の遠位端に面して配置される。入力ポート（４０４）は吸引ルーメン（４０８）に連結される。入力ポート（４０４）は物質の流れ（４２０）を吸引ルーメン（４０８）へ供給するように構成される。入力ポート（４０４）はノズル取り付け部（４２４）に連結される。いくつかの実施形態では、ノズル取り付け部（４２４）は入力ポート（４０４）に一体的であってもよい。
【００４９】
ノズルを備える吸引装置（４００）は吸引ポート（４０６）を含む。吸引ポート（４０６）は吸引ルーメン（４０８）から物質の流れを受け取るように構成される。吸引ポート（４０６）は吸引ルーメン（４０８）に連結される。吸引ポート（４０６）はノズルを備える吸引装置（４００）の近位端に配置される。吸引ポート（４０６）は物質の流れを放出するように構成される。吸引源は真空ポンプ、吸引器、コアンダ効果を利用するように構成された正圧作動式の吸引源、または吸引を生じさせる複数の他の手段を含んでもよい。吸引ポート（４０６）は吸引源に連結されるように構成される。いくつかの実施形態では、吸引システムは、物質の流れから廃棄物を取り除くために吸引ポート（４０６）と吸引源との間に配置された分離器を含むことがある。
【００５０】
ノズルを備える吸引装置（４００）は吸引ルーメン（４０８）を含む。吸引ルーメン（４０８）は入力ポート（４０４）を吸引ポート（４０６）へ連結するように構成される。吸引ルーメン（４０８）は吸引装置（４０２）内に配置される。いくつかの実施形態では、吸引ルーメン（４０８）は完全に囲まれてもよい。いくつかの実施形態では、吸引ルーメン（４０８）は、障害物が吸引ルーメン（４０８）から取り除かれることを可能にするように構成された開口部を含んでもよい。いくつかの実施形態では、ガスケット（４１４）は吸引ルーメン（４０８）の開口部を覆うように構成されてもよい。いくつかの実施形態では、ガスケット（４１４）は、ユーザーが手術器具を取り外し、ガスケット（４１４）を操作して障害物を取り除くことができるように構成されてもよい。
【００５１】
ノズルを備える吸引装置（４００）は器具用保持具（４１２）を含む。器具用保持具（４１２）は吸引装置（４０２）を手術器具に連結するように構成される。器具用保持具（４１２）により、ツールを使用することなく、手術器具を吸引装置（４０２）に取り付けたり、手術器具を吸引装置（４０２）から取り外したりすることができる。いくつかの実施形態では、器具用保持具（４１２）は、手術器具の特定の型とモデルとを受け入れるように構成されてもよい。いくつかの実施形態では、器具用保持具（４１２）は、ツールを用いずに手術器具を迅速に取り付けたり取り外したりすることができるようにクリップ型構造を含むように構成されてもよい。
【００５２】
ノズルを備える吸引装置（４００）はガスケット（４１４）を含む。ガスケット（４１４）は吸引装置（４０２）と手術器具との間に密封を形成するように構成される。ガスケット（４１４）は、吸引源からの吸引が吸引装置（４０２）と手術器具の界面との間で漏れるのを防ぐことがある。いくつかの実施形態では、ガスケット（４１４）は、障害物を取り除くために、吸引ルーメン（４０８）へのアクセスを可能にするように構成された障害物除去ポートを提供するように構成されてもよい。この構造により、ユーザーは、手術器具を取り外し、吸引ルーメン（４０８）に直接アクセスして、障害物を除去することができる。いくつかの実施形態では、ガスケット（４１４）は、吸引ルーメン（４０８）内の障害物を取り除くために操作されるように構成された可撓性膜を含むことがある。
【００５３】
ノズルを備える吸引装置（４００）はノズル取り付け部（４２４）を含む。ノズル取り付け部（４２４）は、意図した用途に適した様々な異なるノズル（４２６）を受け入れるように構成される。いくつかの実施形態では、ノズル取り付け部（４２４）は、ねじ、ルアーロック（Ｌｕｅｒ  ｌｏｃｋｓ）、急速着脱式の継手、またはノズル（４２６）の取り付けを可能にするように構成された複数の他の継手を含んでもよい。
【００５４】
ノズルを備える吸引装置（４００）はノズル（４２６）を含む。ノズル（４２６）はノズル取り付け部（４２４）に連結されるように構成される。ノズル（４２６）の形状と構造は、意図した用途に依存して変わることがある。いくつかの実施形態では、ノズル（４２６）は、ノズル（４２６）の遠位端の近くに配置された吸気ポートを含むことがある。いくつかの実施形態では、ノズル（４２６）の遠位端の近くに配置された吸気ポートは、吸引制御部によって可変的に開閉されてもよい。ノズル（４２６）は市販のノズルであってもよい。
【００５５】
図５は吸引制御部を備える吸引装置（５００）を例証するブロック図である。吸引制御部を備える吸引装置（５００）は吸引装置（５０２）を含む。吸引装置（５０２）は、吸引装置（１００）、吸引装置（２０２）、および吸引装置（４０２）の一例である。しかしながら、吸引装置（５０２）は吸引制御部（５１６）を含む。吸引制御部を備える吸引装置（５００）は、入力ポート（５０４）、吸引ポート（５０６）、吸引ルーメン（５０８）、器具用保持具（５１２）、ガスケット（５１４）、吸引制御部（５１６）、ノズル取り付け部（５２４）、およびノズル（５２６）を含む。
【００５６】
吸引制御部を備える吸引装置（５００）は入力ポート（５０４）を含む。入力ポート（５０４）は吸引装置（５０２）の遠位端に面して配置される。入力ポート（５０４）はノズル取り付け部（５２４）に連結される。いくつかの実施形態では、ノズル取り付け部（５２４）は入力ポート（５０４）に一体的であってもよい。入力ポート（５０４）は吸引ルーメン（５０８）に連結される。入力ポート（５０４）はノズル（５２６）とノズル取り付け部（５２４）から物質の流れを受け取るように構成される。物質の流れは液体、気体、および固体を含むことがある。物質の流れは体液、手術の副産物、および煙を含むことがある。入力ポート（５０４）は物質の流れ（５２０）を吸引ルーメン（５０８）へ供給するように構成される。いくつかの実施形態では、入力ポート（５０４）は、コアンダ効果を利用するように構成された正圧作動式の吸引源を含むことがある。
【００５７】
吸引制御部を備える吸引装置（５００）は吸引ポート（５０６）を含む。吸引ポート（５０６）は吸引源に連結されるように構成される。吸引源は真空ポンプ、吸引器、コアンダ効果を利用するように構成された正圧作動式の吸引源、または吸引を生じさせる複数の他の手段を含んでもよい。吸引ポート（５０６）は吸引装置（５０２）の近位端に配置される。吸引ポート（５０６）は吸引ルーメン（５０８）に連結される。吸引ポート（５０６）は吸引ルーメン（５０８）から物質の流れを受け取るように構成される。吸引ポート（５０６）は物質の流れを放出するように構成される。いくつかの実施形態では、吸引システムは、物質の流れから廃棄物を取り除くために吸引ポート（５０６）と吸引源との間に配置された分離器を含むことがある。
【００５８】
吸引制御部を備える吸引装置（５００）は吸引ルーメン（５０８）を含む。吸引ルーメン（５０８）は入力ポート（５０４）を吸引ポート（５０６）へ連結するように構成される。吸引ルーメン（５０８）は吸引装置（５０２）内に配置される。いくつかの実施形態では、吸引ルーメン（５０８）は完全に囲まれてもよい。いくつかの実施形態では、吸引ルーメン（５０８）は、障害物が吸引ルーメン（５０８）から取り除かれることを可能にするように構成された開口部を含んでもよい。
【００５９】
吸引制御部を備える吸引装置（５００）は器具用保持具（５１２）を含む。器具用保持具（５１２）は吸引装置（５０２）を手術器具に連結するように構成される。器具用保持具（５１２）により、ツールを使用することなく、手術器具を吸引装置（５０２）に取り付けたり、手術器具を吸引装置（５０２）から取り外したりすることができる。いくつかの実施形態では、器具用保持具（５１２）は、手術器具の特定の型とモデルとを受け入れるように構成されてもよい。いくつかの実施形態では、器具用保持具（５１２）は、ツールを用いずに手術器具を迅速に取り付けたり取り外したりすることができるようにクリップ型構造を含むように構成されてもよい。
【００６０】
吸引制御部を備える吸引装置（５００）はガスケット（５１４）を含む。ガスケット（５１４）は吸引装置（５０２）と手術器具との間に密封を形成するように構成される。ガスケット（５１４）は、吸引源からの吸引が吸引装置（５０２）と手術器具の界面との間で漏れるのを防ぐことがある。いくつかの実施形態では、ガスケット（５１４）は、障害物を取り除くために、吸引ルーメン（５０８）へのアクセスを可能にするように構成された障害物除去ポートを提供するように構成されてもよい。この構造により、ユーザーは、手術器具を取り外し、吸引ルーメン（５０８）に直接アクセスして、障害物を除去することができる。いくつかの実施形態では、ガスケット（５１４）は、吸引ルーメン（５０８）内の障害物を取り除くために操作されるように構成された可撓性膜を含むことがある。
【００６１】
吸引制御部を備える吸引装置（５００）は、吸引制御部（５１６）を含む。吸引制御部（５１６）は、吸引装置（５０２）へ引き込まれる液体、固体、および気体の吸引比率を調節するように構成される。吸引制御部（５１６）は、ノズル（５２６）の位置を調節することにより、液体、固体、および気体の比率を調節してもよい。いくつかの実施形態では、吸引制御部（５１６）は入力ポート（５０４）で含まれる吸気ポートを調節するように構成されることがある。いくつかの実施形態では、吸引制御部（５１６）はノズル（５２６）で含まれる吸気ポートを調節するように構成されることがある。いくつかの実施形態では、吸引制御部（５１６）は摺動部材を含むことがある。いくつかの実施形態では、摺動部材は、吸引装置（５０２）によって吸引される液体、固体、および気体の比率を選択的に調節するために、ノズル（５２６）を伸縮させるように構成されてもよい。いくつかの実施形態では、吸引制御部（５１６）は、吸引制御部（５１６）の位置を固定するための手段を含んでもよい。吸引制御部（５１６）を固定するための手段は、戻り止め、摩擦嵌合、ノッチ、または吸引制御部（５１６）の位置を固定するための複数の他の手段を含むことがある。
【００６２】
吸引制御部を備える吸引装置（５００）はノズル取り付け部（５２４）を含む。ノズル取り付け部（５２４）は、意図した用途に適した様々な異なるノズルを受け入れるように構成される。いくつかの実施形態では、ノズル取り付け部（５２４）は、ねじ、ルアーロック、急速着脱式の継手、またはノズル（５２６）の取り付けを可能にするように構成された複数の他の継手を含んでもよい。
【００６３】
吸引制御部を備える吸引装置（５００）はノズル（５２６）を含む。ノズル（５２６）はノズル取り付け部（５２４）に連結されるように構成される。ノズル（５２６）の形状と構造は意図した用途に依存して変わることがある。いくつかの実施形態では、ノズル（５２２）は、ノズル（５２２）の遠位端の近くに配置された吸気ポートを含むことがある。いくつかの実施形態では、ノズル（５２６）の遠位端の近くに配置された吸気ポートは、吸引制御部（５１６）によって可変的に開閉されてもよい。ノズル（５２６）は市販のノズルであってもよい。
【００６４】
図６は、吸引制御部（６００）を備える吸引システムの動作を例証するブロック図である。吸引制御部（６００）を備える吸引システムは吸引システム（２００）の一例である。しかしながら、吸引制御部（６００）を備える吸引システムは、代替的な構造と動作方法を含むことがある。吸引制御部（６００）を備える吸引システムは吸引装置（６０２）と吸引源（６１８）を含む。
【００６５】
吸引制御部（６００）を備える吸引システムは吸引装置（６０２）を含む。吸引装置（６０２）は、吸引装置（１００）、吸引装置（２０２）、吸引装置（４０２）、および吸引装置（５０２）の一例である。しかしながら、吸引装置（６０２）は代替的な構造と動作方法を含むことがある。吸引装置（６０２）は、入力ポート（６０４）、吸引ポート（６０６）、吸引ルーメン（６０８）、器具用保持具（６１２）、ガスケット（６１４）、吸引制御部（６１６）、ノズル取り付け部（６２４）、およびノズル（６２６）を含む。吸引装置（６０２）は吸引源（６１８）に連結されるように構成される。吸引源（６１８）は、真空ポンプ、吸引器、コアンダ効果を利用するように構成された正圧作動式の吸引源、または吸引を生じさせる複数の他の手段であってもよい。吸引源（６１８）は、入力ポート（６０４）の近くに低圧領域（６２２）を生成する。低圧領域（６２２）は周囲の気圧以下の圧力であり、したがって、物質の流れ（６２０）を入力ポート（６０４）へと引き込ませる。いくつかの実施形態では、吸引装置（６０２）は器具用保持具（６１２）によって手術器具に連結されるように構成されることがある。
【００６６】
吸引装置（６０２）は入力ポート（６０４）を含む。入力ポート（６０４）は物質の流れ（６２０）を吸引ルーメン（６０８）へ供給するように構成される。入力ポート（６０４）は吸引装置（６０２）の遠位端に面して配置される。入力ポート（６０４）は吸引ルーメン（６０８）に連結される。入力ポート（６０４）は物質の流れ（６２０）を受け取るように構成される。物質の流れ（６２０）は液体、気体、および固体を含むことがある。物質の流れ（６２０）は体液、手術の副産物、および煙を含むことがある。いくつかの実施形態では、入力ポート（６０４）は、コアンダ効果を利用するように構成された正圧作動式の吸引装置を含むことがある。
【００６７】
吸引装置（６０２）は吸引ポート（６０６）を含む。吸引ポート（６０６）は吸引ルーメン（６０８）から物質の流れ（６２０）を受け取るように構成される。吸引ポート（６０６）は吸引ルーメン（６０８）に連結される。吸引ポート（６０６）は吸引装置（６０２）の近位端に配置される。吸引ポート（６０６）は物質の流れ（６２０）を放出するように構成される。吸引ポート（６０６）は吸引源（６１８）に連結される。吸引源（６１８）は真空ポンプ、吸引器、コアンダ効果を利用するように構成された正圧作動式の吸引源、または吸引を生じさせる複数の他の手段を含むことがある。いくつかの実施形態では、吸引システム（６００）は、物質の流れ（６２０）から廃棄物を取り除くために吸引ポート（６０６）と吸引源（６１８）との間に配置された分離器を含むことがある。
【００６８】
吸引装置（６０２）は吸引ルーメン（６０８）を含む。吸引ルーメン（６０８）は入力ポート（６０４）を吸引ポート（６０６）へ連結するように構成される。吸引ルーメン（６０８）は吸引装置（６０２）内に配置される。いくつかの実施形態では、吸引ルーメン（６０８）は完全に囲まれてもよい。いくつかの実施形態では、吸引ルーメン（６０８）は、障害物が吸引ルーメン（６０８）から取り除かれることを可能にするように構成された開口部を含むことがある。
【００６９】
吸引装置（６０２）は器具用保持具（６１２）を含む。器具用保持具（６１２）は吸引装置（６０２）を手術器具に連結するように構成される。器具用保持具（６１２）により、ツールを使用することなく、手術器具を吸引装置（６０２）に取り付けたり、手術器具を吸引装置（６０２）から取り外したりすることができる。いくつかの実施形態では、器具用保持具（６１２）は、手術器具の特定の型とモデルとを受け入れるように構成されてもよい。いくつかの実施形態では、器具用保持具（６１２）は、ツールを用いずに手術器具を迅速に取り付けたり取り外したりすることができるようにクリップ型構造を含むように構成されてもよい。
【００７０】
吸引装置（６０２）はガスケット（６１４）を含む。ガスケット（６１４）は吸引装置（６０２）と手術器具との間に密封を形成するように構成される。ガスケット（６１４）は、吸引源（６１８）からの吸引が吸引装置（６０２）と手術器具界面との間で漏れるのを防ぐことがある。いくつかの実施形態では、ガスケット（６１４）は、吸引ルーメン（６０８）から障害物を取り除くために吸引ルーメン（６０８）へのアクセスを可能にするように構成された障害物除去ポートを含むように構成されてもよい。この構造により、ユーザーは、手術器具を取り外し、吸引ルーメン（６０８）に直接アクセスして、障害物を除去することができる。いくつかの実施形態では、ガスケット（６１４）は、吸引ルーメン（６０８）内の障害物を取り除くために操作されるように構成された可撓性膜を含むことがある。
【００７１】
吸引装置（６０２）は吸引制御部（６１６）を含む。吸引制御部（６１６）は、吸引装置（６０２）へ引き込まれる液体、固体、および気体の吸引比率を調節するように構成される。吸引制御部（６１６）は、ノズル（６２６）の位置を調節することにより吸引装置（６０２）によって吸引された液体、固体、および気体の比率を調節してもよい。いくつかの実施形態では、吸引制御部（６１６）は入力ポート（６０４）で含まれる吸気ポートを調節するように構成されることがある。いくつかの実施形態では、吸引制御部（６１６）はノズル（６２６）で含まれる吸気ポートを調節するように構成されることがある。いくつかの実施形態では、吸引制御部（６１６）は摺動部材を含むことがある。いくつかの実施形態では、摺動部材は、吸引装置（６０２）によって吸引された液体、固体、および気体の比率を選択的に調節するために、ノズル（６２６）を伸縮させるように構成されてもよい。いくつかの実施形態では、吸引制御部（６１６）は、吸引制御部（６１６）の位置を固定するための手段を含むことがある。吸引制御部（６１６）を固定するための手段は、戻り止め、摩擦嵌合、ノッチ、または吸引制御部（６１６）の位置を固定するための複数の他の手段を含んでもよい。
【００７２】
吸引装置（６０２）はノズル取り付け部（６２４）を含む。ノズル取り付け部（６２４）は意図した用途に適した様々な異なるノズル（６２６）を受け入れるように構成される。いくつかの実施形態では、ノズル取り付け部（６２４）は、ねじ、ルアーロック、急速着脱式の継手、またはノズル（６２６）の取り付けを可能にするように構成された複数の他の継手を含んでもよい。
【００７３】
吸引装置（６０４）はノズル（６２６）を含む。ノズル（６２６）はノズル取り付け部（６２４）に連結されるように構成される。ノズル（６２６）の形状と構造は意図した用途に依存して変わることがある。いくつかの実施形態では、ノズル（６２６）は、ノズル（６２６）の遠位端の近くに配置された吸気ポートを含むことがある。いくつかの実施形態では、ノズル（６２６）の遠位端の近くに配置された吸気ポートは、吸引制御部によって可変的に開閉されてもよい。ノズル（６２６）は市販のノズルであってもよい。
【００７４】
吸引システム（６００）は吸引源（６１８）を含む。吸引源（６１８）は吸引装置（６０２）に吸引を供給するように構成される。吸引源は、真空ポンプ、吸引器、コアンダ効果を利用するように構成された正圧作動式の吸引源、または吸引を生じさせる複数の他の手段であってもよい。
【００７５】
図７は、吸引制御部を備えた吸引システムを動作させる方法を例証するブロック図である。図７に例証された工程は、吸引制御部（６００）を備えた吸引システムの１つ以上の要素によって実行され得る。吸引は、吸引装置の吸引ポートに適用される（７０２）。例えば、吸引ポート（６０６）は、吸引源（６１８）に連結するように構成されている。吸引源（６１８）は、吸引装置（６０２）の吸引ポート（６０６）に吸引を適用するように構成されている。吸引ポート（６０６）は吸引ルーメン（６０８）に連結されている。吸引ルーメン（６０８）は入力ポート（６０４）に連結されている。吸引ルーメン（６０８）は、吸引源（６１８）からの吸引を入力ポート（６０４）に移動させるように構成されている。低圧領域は、吸引装置のノズルの近くに作られる（７０４）。例えば、ノズル（６２６）は入力ポート（６０４）に連結されている。入力ポート（６０４）は、低圧領域（６２２）を生じさせるために、吸引源（６１８）からの吸引をノズル（６２６）に移動させるように構成されている。吸引装置（６０２）は、吸引源（６１８）から吸引装置（６０２）の入力ポート（６０４）の近くに低圧領域（６２２）を生じさせるように構成されている。液体、固体および気体の吸引比率は、ノズルの近くで調節される（７０６）。例えば、吸引装置（６０２）は吸引制御部（６１６）を含む。吸引制御部（６１６）は、吸引装置（６０２）によって吸引された液体、固体および気体の比率を調節するように構成されている。いくつかの実施形態では、吸引制御部（６１６）は、吸引装置（６０２）によって吸引された液体、固体および気体の比率を調節するために、入力ポート（６０４）またはノズル（６２６）に配置された吸気ポートの寸法を調節するように構成されてもよい。物質の流れは入力ポートへと引き込まれる（７０８）。例えば、入力ポート（６０４）は、物質の流れ（６２０）を受けるように構成されている。低圧領域（６２２）は、周囲の気圧より下の圧力である。低圧領域（６２２）は、物質の流れ（６２０）を入力ポート（６０４）へと引き込むように構成されている。物質の流れは吸引ポートから排出される（７０８）。例えば、吸引装置（６０２）は吸引ルーメン（６０８）を含む。吸引ルーメン（６０８）は吸引ポート（６０６）に連結されている。吸引ルーメン（６０８）は、物質の流れ（６２０）を吸引ポート（６０６）に移動させるように構成されている。吸引ポート（６０６）は、吸引装置（６０２）からの物質の流れ（６２０）を排出するように構成されている。
【００７６】
図８は、吸引装置（８００）を例証するブロック図である。吸引装置（８００）は、吸引装置（１００）、吸引装置（２０２）、吸引装置（４０２）、吸引装置（５０２）および吸引装置（６０２）の一例であるが、吸引装置（８００）は、吸気ポート（８１０）、（８３８）を含む。吸引装置（８００）は、入力ポート（８０４）、吸引ポート（８０６）、吸引ルーメン（８０８）、器具用保持具（８１２）、ガスケット（８１４）、吸引制御部（８１６）、ノズル取り付け部（８２４）およびノズル（８２６）を含む。
【００７７】
吸引装置（８００）は、吸引源に連結するように構成されている。吸引源は、真空ポンプ、吸引器、コアンダ効果を活用するように構成された正圧作動式の吸引源、または吸引を生じさせる幾つかの他の手段であってもよい。吸引源は、ノズル（８２６）の近くで低圧領域を生じさせる。低圧領域は、周囲の気圧より下の圧力であり、それ故、物質の流れは吸引装置（８００）へと引き込まれる。いくつかの実施形態では、吸引装置（８００）は、器具用保持具（８１２）を介して手術器具に連結するように構成されてもよい。
【００７８】
吸引装置（８００）は入力ポート（８０４）を含む。入力ポート（８０４）は、物質の流れを受けるように構成されている。物質の流れは、液体、気体および固体を含み得る。物質の流れは、体液、手術の副産物および煙を含み得る。入力ポート（８０４）は、吸引装置（８００）の遠位端に面して配置されている。入力ポート（８０４）は、吸引ルーメン（８０８）に連結されている。入力ポート（８０４）は、物質の流れを吸引ルーメン（８０８）に供給するように構成されている。
【００７９】
入力ポート（８０４）は吸気ポート（８１０）を含む。吸気ポート（８１０）は、物質の流れを吸引装置（８００）へと吸引するように構成されている。吸気ポート（８１０）は入力ポート（８０４）内に配置されている。いくつかの実施形態では、吸気ポート（８１０）は、ベンチュリ効果を活用するように構成されてもよい。いくつかの実施形態では、吸気ポート（８１０）は、吸引制御部（８１６）によって制御され得る。いくつかの実施形態では、吸引制御部（８１６）は、吸気ポート（８１０）を開閉するように構成されてもよい。いくつかの実施形態では、吸引制御部（８１６）は、吸気ポート（８１０）を通る吸引の量を調節するために吸気ポート（８１０）の寸法を調節するように構成されてもよい。
【００８０】
吸引装置（８００）は吸引ポート（８０６）を含む。吸引ポート（８０６）は、吸引ルーメン（８０８）からの物質の流れ（８２０）を受けるように構成されている。吸引ポート（８０６）は、吸引装置（８００）の近位端に配置されている。吸引ポート（８０６）は、吸引ルーメン（８０８）に連結されている。吸引ポート（８０６）は、物質の流れを放出するように構成されている。吸引ポート（８０６）は吸引源に連結されてもよい。吸引源は、真空ポンプ、吸引器、コアンダ効果を活用するように構成された正圧作動式の吸引源、または吸引を生じさせる幾つかの他の手段を含んでもよい。いくつかの実施形態では、吸引システムは、物質の流れからの廃棄物を除去するために、吸引ポート（８０６）と吸引源との間に配置された分離器を含んでもよい。
【００８１】
吸引装置（８００）は吸引ルーメン（８０８）を含む。吸引ルーメン（８０８）は、入力ポート（８０４）を吸引ポート（８０６）に連結するように構成されている。吸引ルーメン（８０８）は吸引装置（８００）内に配置されている。いくつかの実施形態では、吸引ルーメン（８０８）は完全に囲まれてもよい。いくつかの実施形態では、吸引ルーメン（８０８）は、障害物が吸引ルーメン（８０８）から除去されることを可能にするように構成された開口部を含んでもよい。
【００８２】
吸引装置（８００）は器具用保持具（８１２）を含む。器具用保持具（８１２）は、吸引装置（８００）を手術器具に連結するように構成されている。器具用保持具（８１２）は、ツールを使用することなく手術器具が吸引装置（８００）から着脱されることを可能にする。いくつかの実施形態では、器具用保持具（８１２）は、手術器具の特定の型およびモデルを受けるように構成されてもよい。いくつかの実施形態では、器具用保持具（８１２）は、ツールなしでの手術器具の迅速な着脱を可能にするクリップ型構造を含むように構成されてもよい。
【００８３】
吸引装置（８００）はガスケット（８１４）を含む。ガスケット（８１４）は、吸引装置（８００）と手術器具との間の密封を提供するように構成されている。ガスケット（８１４）は、吸引装置（８００）と手術器具の境界面の間で吸引源からの吸引が漏れるのを防ぎ得る。いくつかの実施形態では、ガスケット（８１４）は、が障害物を除去するために吸引ルーメン（８０８）へのアクセスを可能にするように構成された障害物除去ポートを含んでもよい。この構成によって、ユーザーは、障害物を除去するために、手術器具を取り外し、吸引ルーメン（８０８）に直接アクセスすることができる。いくつかの実施形態では、ガスケット（８１４）は、吸引ルーメン（８０８）内の障害物を除去するべく操作されるように構成された可撓性膜を含んでもよい。
【００８４】
吸引装置（８００）は吸引制御部（８１６）を含む。吸引制御部（８１６）は、吸引装置（８００）へと引き込まれた液体、固体および気体の吸引比率を調節するように構成されている。吸引制御部（８１６）は、ノズル（８２６）の位置を調節することによって、吸引装置（８００）により吸引された液体、固体および気体の比率を調節し得る。いくつかの実施形態では、吸引制御部（８１６）は、入力ポート（８０４）で含まれた吸気ポート（８１０）を調節するように構成されてもよい。いくつかの実施形態では、吸引制御部（８１６）は、吸気ポート（８１０）、（８３８）を調節するように構成されてもよい。いくつかの実施形態では、吸引制御部（８１６）は摺動部材を含んでもよい。いくつかの実施形態では、摺動部材は、吸引装置（８００）により吸引された液体、固体および気体の比率を選択的に調節するために、ノズル（８２６）を伸縮させるように構成されてよい。いくつかの実施形態では、吸引制御部（８１６）は、吸引制御部（８１６）の位置を固定する手段を含んでもよい。吸引制御部（８１６）を固定する手段は、戻り止め、摩擦嵌合、ノッチ、または吸引制御部（８１６）の位置を固定する幾つかの他の手段を含んでよい。
【００８５】
吸引装置（８００）はノズル取り付け部（８２４）を含む。ノズル取り付け部（８２４）は、意図される用途に適した様々な異なるノズル（８２６）を受けるように構成されている。いくつかの実施形態では、ノズル取り付け部（８２４）は、ねじ、ルアーロック、急速着脱式の継手、またはノズル（８２６）の取り付けを可能にするように構成された幾つかの他の継手を含んでもよい。
【００８６】
吸引装置（８００）はノズル（８２６）を含む。ノズル（８２６）は、ノズル取り付け部（８２４）に連結するように構成されている。ノズル（８２６）の形状および構成は、意図される用途によって様々であり得る。いくつかの実施形態では、ノズル（８２６）は、ノズル（８２６）の遠位端の近くに配置された吸気ポート（８３８）を含んでもよい。いくつかの実施形態では、吸気ポート（８３８）は、吸引制御部（８１６）によって可変的に開閉され得る。ノズル（８２６）は市販のノズルであってもよい。
【００８７】
ノズル（８２６）は吸気ポート（８３８）を含む。吸気ポート（８３８）はノズル（８２６）内に配置されている。吸気ポート（８３８）は、物質の流れを吸引装置（８００）へと吸引するように構成されている。いくつかの実施形態では、吸気ポート（８３８）は、ベンチュリ効果を活用するように構成されてもよい。いくつかの実施形態では、吸気ポート（８３８）は、吸引制御部（８１６）によって制御され得る。いくつかの実施形態では、吸引制御部（８１６）は、吸気ポート（８３８）を開閉するように構成されてもよい。いくつかの実施形態では、吸引制御部（８１６）は、吸気ポート（８３８）を通る吸引の量を調節するために、吸気ポート（８３８）の寸法を調節するように構成されてもよい。
【００８８】
図９は、吸引システム（９００）の動作を例証するブロック図である。吸引システム（９００）は、吸引システム（２００）および吸引制御部（６００）を備えた吸引システムの一例であるが、吸引システム（９００）は、代替的な構成および動作の方法を含んでもよい。吸引システム（９００）は、吸引装置（９０２）および吸引源（９１８）を含む。
【００８９】
吸引システム（９００）は吸引装置（９０２）を含む。吸引装置（９０２）は、吸引装置（１００）、吸引装置（２０２）、吸引装置（４０２）、および吸引装置（５０２）の一例であるが、吸引装置（９０２）は、吸気ポート（９１０）、（９３８）を含む。吸引装置（９０２）は、入力ポート（９０４）、吸引ポート（９０６）、吸引ルーメン（９０８）、器具用保持具（９１２）、ガスケット（９１４）、吸引制御部（９１６）、ノズル取り付け部（９２４）およびノズル（９２６）を含む。吸引装置（９０２）は、吸引源（９１８）に連結するように構成されている。吸引源（９１８）は、真空ポンプ、吸引器、コアンダ効果を活用するように構成された正圧作動式の吸引源、または吸引を生じさせる幾つかの他の手段であってもよい。吸引源（９１８）は、ノズル（９２６）の近くに低圧領域（９２２）を生じさせるように構成されている。低圧領域（９２２）は、周囲の気圧より下の圧力であり、それ故、物質の流れ（９２０）は吸引装置（９０２）へと引き込まれる。いくつかの実施形態では、吸引装置（９０２）は、器具用保持具（９１２）を介して手術器具に連結するように構成されてもよい。
【００９０】
吸引装置（９０２）は入力ポート（９０４）を含む。入力ポート（９０４）は、吸引装置（９０２）の遠位端に面して配置されている。入力ポート（９０４）は、吸引ルーメン（９０８）に連結されている。入力ポート（９０４）は、物質の流れ（９２０）を受けるように構成されている。物質の流れ（９２０）は、液体、気体および固体を含み得る。物質の流れ（９２０）は、体液、手術の副産物および煙を含み得る。入力ポート（９０４）は、物質の流れ（９２０）を吸引ルーメン（９０８）に供給するように構成されている。いくつかの実施形態では、入力ポート（９０４）は、コアンダ効果を活用するように構成された正圧作動式の吸引源を含んでもよい。
【００９１】
入力ポート（９０４）は吸気ポート（９１０）を含む。吸気ポート（９１０）は入力ポート（９０４）内に配置されている。吸気ポート（９１０）は、物質の流れ（９２０）を吸引装置（９０２）へと吸引するように構成されている。いくつかの実施形態では、吸気ポート（９１０）は、ベンチュリ効果を活用するように構成されてもよい。いくつかの実施形態では、吸気ポート（９１０）は、吸引制御部（９１６）によって制御され得る。いくつかの実施形態では、吸引制御部（９１６）は、吸気ポート（９１０）を開閉するように構成されてもよい。いくつかの実施形態では、吸引制御部（９１６）は、吸気ポート（９１０）を通る吸引の量を調節するために、吸気ポート（９１０）の寸法を調節するように構成されてもよい。
【００９２】
吸引装置（９０２）は吸引ポート（９０６）を含む。吸引ポート（９０６）は、物質の流れ（９２０）を放出するように構成されている。吸引ポート（９０６）は、吸引装置（９０２）の近位端に配置されている。吸引ポート（９０６）は、吸引ルーメン（９０８）に連結されている。吸引ポート（９０６）は、吸引ルーメン（９０８）からの物質の流れ（９２０）を受けるように構成されている。吸引ポート（９０６）は吸引源（９１８）に連結されている。吸引源（９１８）は、真空ポンプ、吸引器、コアンダ効果を活用するように構成された正圧作動式の吸引源、または吸引を生じさせる幾つかの他の手段を含んでもよい。いくつかの実施形態では、吸引システム（９００）は、物質の流れ（９２０）からの廃棄物を除去するために、吸引ポート（９０６）と吸引源（９１８）との間で配置された分離器を含んでもよい。
【００９３】
吸引装置（９０２）は吸引ルーメン（９０８）を含む。吸引ルーメン（９０８）は、入力ポート（９０４）を吸引ポート（９０６）に連結するように構成されている。吸引ルーメン（９０８）は吸引装置（９０２）内に配置されている。いくつかの実施形態では、吸引ルーメン（９０８）は完全に囲まれてもよい。いくつかの実施形態では、吸引ルーメン（９０８）は、障害物が吸引ルーメン（９０８）から除去されることを可能にするように構成された開口部を含んでもよい。
【００９４】
吸引装置（９０２）は器具用保持具（９１２）を含む。器具用保持具（９１２）は、吸引装置（９０２）を手術器具に連結するように構成されている。器具用保持具（９１２）は、ツールを使用することなく手術器具が吸引装置（９０２）から着脱されることを可能にする。いくつかの実施形態では、器具用保持具（９１２）は、手術器具の特定の型およびモデルを受けるように構成されてもよい。いくつかの実施形態では、器具用保持具（９１２）は、ツールなしでの手術器具の迅速な着脱を可能にするクリップ型構造を含むように構成されてもよい。
【００９５】
吸引装置（９０２）はガスケット（９１４）を含む。ガスケット（９１４）は、吸引装置（９０２）と手術器具との間に密封を提供するように構成されている。ガスケット（９１４）は、吸引装置（９０２）と手術器具の境界面の間で吸引源からの吸引が漏れるのを防ぎ得る。いくつかの実施形態では、ガスケット（９１４）は、吸引ルーメン（９０８）内の障害物を除去するために、吸引ルーメン（９０８）へのアクセスを可能にするように構成された障害物除去ポートを含むように構成されてもよい。この構成によって、ユーザーは、障害物を除去するために、手術器具を取り外し、吸引ルーメン（９０８）に直接アクセスすることができる。いくつかの実施形態では、ガスケット（９１４）は、吸引ルーメン（９０８）内の障害物を除去するべく操作されるように構成された可撓性膜で構成され得る。
【００９６】
吸引装置（９０２）は吸引制御部（９１６）を含む。吸引制御部（９１６）は、吸引装置（９０２）へと引き込まれた液体、固体および気体の比率を調節するように構成されている。吸引制御部（９１６）は、ノズル（９２６）の位置を調節することによって、吸引装置（９０２）により吸引された液体、固体および気体の比率を調節してもよい。いくつかの実施形態では、吸引制御部（９１６）は、吸気ポート（９１０）を調節するように構成されてもよい。いくつかの実施形態では、吸引制御部（９１６）は、吸気ポート（９３８）を調節するように構成されてもよい。いくつかの実施形態では、吸引制御部（９１６）は摺動部材を含んでもよい。いくつかの実施形態では、摺動部材は、吸引装置（９０２）により吸引された液体、固体および気体の比率を選択的に調節するために、ノズル（９２６）を伸縮させるように構成されてもよい。いくつかの実施形態では、吸引制御部（９１６）は、吸引制御部（９１６）の位置を固定する手段を含んでもよい。吸引制御部（９１６）を固定する手段は、戻り止め、摩擦嵌合、ノッチ、または吸引制御部（９１６）の位置を固定する幾つかの他の手段を含んでもよい。
【００９７】
吸引装置（９０２）はノズル取り付け部（９２４）を含む。ノズル取り付け部（９２４）は、意図される用途に適した様々な異なるノズル（９２６）を受けるように構成されている。いくつかの実施形態では、ノズル取り付け部（９２４）は、ねじ、ルアーロック、急速着脱式の継手、またはノズル（９２６）の取り付けを可能にするように構成された幾つかの他の継手を含んでもよい。
【００９８】
吸引装置（９０２）はノズル（９２６）を含む。ノズル（９２６）は、ノズル取り付け部（９２４）に連結するように構成されている。ノズル（９２６）の形状および構成は、意図される用途によって様々であり得る。ノズル（９２６）は、ノズル（９２６）の遠位端の近くに配置された吸気ポート（９３８）を含む。いくつかの実施形態では、吸気ポート（９３８）は、吸引制御部（９１６）によって可変的に開閉され得る。ノズル（９２６）は市販のノズルであってもよい。
【００９９】
ノズル（９２６）は吸気ポート（９３８）を含む。吸気ポート（９３８）は、物質の流れ（９２０）を吸引装置（９０２）へと吸引するように構成されてもよい。吸気ポート（９３８）はノズル（９２６）内に配置されている。いくつかの実施形態では、吸気ポート（９３８）は、ベンチュリ効果を活用するように構成されてもよい。いくつかの実施形態では、吸気ポート（９３８）は、吸引制御部（９１６）によって制御され得る。いくつかの実施形態では、吸引制御部（９１６）は、吸気ポート（９３８）を開閉するように構成されてもよい。いくつかの実施形態では、吸引制御部（９１６）は、吸気ポート（９３８）を通る吸引の量を調節するために、吸気ポート（９３８）の寸法を調節するように構成されてもよい。
【０１００】
吸引システム（９００）は吸引源（９１８）を含む。吸引源（９１８）は、吸引装置（９０２）に吸引を供給するように構成されている。吸引源は、真空ポンプ、吸引器、コアンダ効果を活用するように構成された正圧作動式の吸引源、または吸引を生じさせる幾つかの他の手段であってもよい。
【０１０１】
図１０は、吸引システムを動作させる方法を例証する図である。図１０に例証された工程は、吸引システム（９００）の１つ以上の要素によって実行され得る。吸引は、吸引装置の吸引ポートに適用される（１００２）。例えば、吸引ポート（９０６）は、吸引源（９１８）に連結するように構成されている。吸引源（９１８）は、吸引装置（９０２）の吸引ポート（９０６）に吸引を適用するように構成されている。吸引ポート（９０６）は、吸引ルーメン（９０８）に連結されている。吸引ルーメン（９０８）は入力ポート（９０４）に連結されている。
吸引ルーメン（９０８）は、吸引源（９１８）からの吸引を入力ポート（９０４）に移動させるように構成されている。低圧領域は、吸引装置のノズルの近くに作られる（１００４）。例えば、ノズル（９２６）は入力ポート（９０４）に連結されている。入力ポート（９０４）は、低圧領域（９２２）を生じさせるために、吸引源（９１８）からの吸引をノズル（９２６）に移動させるように構成されている。吸引装置（９０２）は、吸引源（９１８）から吸引装置（９０２）の入力ポート（９０４）の近くに低圧領域（９２２）を生じさせるように構成されている。液体、固体および気体の吸引比率は、ノズルの近くで調節される（１００６）。例えば、吸引装置（９０２）は吸引制御部（９１６）を含む。吸引制御部（９１６）は、吸引装置（９０２）により吸引された液体、固体および気体の比率を調節するように構成されている。いくつかの実施形態では、吸引制御部（９１６）は、吸引装置（９０２）により吸引された液体、固体および気体の比率を調節するために、入力ポート（９０４）またはノズル（９２６）に配置された吸気ポート（９１０）、（９３８）の寸法を調節するように構成されてもよい。物質の流れは、入力ポートおよび１つ以上の吸気ポートへと引き込まれる（１００８）。例えば、入力ポート（９０４）は、物質の流れ（９２０）を受けるように構成されている。低圧領域（９２２）は、周囲の気圧より下の圧力である。低圧領域（９２２）は、物質の流れ（９２０）を入力ポート（９０４）および吸気ポート（９１０）、（９３８）へと引き込むように構成されている。物質の流れは吸引ポートから排出される（１００８）。例えば、吸引装置（９０２）は吸引ルーメン（９０８）を含む。吸引ルーメン（９０８）は吸引ポート（９０６）に連結されている。吸引ルーメン（９０８）は、物質の流れ（９２０）を吸引ポート（９０６）に移動させるように構成されている。吸引ポート（９０６）は、吸引装置（９０２）からの物質の流れ（９２０）を排出するように構成されている。
【０１０２】
図１１Ａは、正圧作動式の吸引装置（１１００）を例証するブロック図である。正圧作動式の吸引装置（１１００）は、吸引装置（１００）、吸引装置（２０２）、吸引装置（４０２）、吸引装置（５０２）、吸引装置（６０２）、吸引装置（８００）、および吸引装置（９０２）の一例であるが、正圧作動式の吸引装置（１１００）は、圧力入力部（１１２８）および流体加速装置（１１３４）を含む。正圧作動式の吸引装置（１１００）は、吸引源または真空源ではなくむしろ正圧供給源からの吸引を生じさせるように構成されている。しかしながら、正圧作動式の吸引装置（１１００）は、吸引源または真空源とともに使用されてもよい。正圧作動式の吸引装置（１１００）は、入力ポート（１１０４）、加圧された出力ポート（１１０６）、ルーメン（１１０８）、器具用保持具（１１１２）、ガスケット（１１１４）、吸引制御部（１１１６）、圧力入力部（１１２８）および流体加速装置（１１３４）を含む。
【０１０３】
正圧作動式の吸引装置（１１００）は、正圧源に連結するように構成されている。正圧源は、空気圧縮機、圧縮ガス、ヒトの呼吸、または正圧を生じさせる幾つかの他の手段であってもよい。正圧作動式の吸引装置（１１００）は、低圧領域の入力ポート（１１０４）を生じさせるために、コアンダ効果を活用するように構成されている。低圧領域は、周囲の気圧より下の圧力であり、それ故、物質の流れは正圧作動式の吸引装置（１１００）へと引き込まれる。
【０１０４】
正圧作動式の吸引装置（１１００）は入力ポート（１１０４）を含む。入力ポート（１１０４）は、物質の流れを受けるように構成されている。物質の流れは、液体、気体および固体を含み得る。物質の流れは、体液、手術の副産物および煙を含み得る。入力ポート（１１０４）は、物質の流れをルーメン（１１０８）に供給するように構成されている。入力ポート（１１０４）は、正圧作動式の吸引装置（１１００）の遠位端に面して配置されている。入力ポート（１１０４）はルーメン（１１０８）に連結されている。
【０１０５】
正圧作動式の吸引装置（１１００）は、加圧された出力ポート（１１０６）を含む。加圧された出力ポート（１１０６）は、ルーメン（１１０８）からの物質の流れ（１１２０）を受けるように構成されている。加圧された出力ポート（１１０６）は、正圧作動式の吸引装置（１１００）の近位端に配置されている。加圧された出力ポート（１１０６）は、ルーメン（１１０８）に連結されている。加圧された出力ポート（１１０６）は、物質の流れを放出するように構成されている。加圧された出力ポート（１１０６）は、吸引源に連結されてもよい。吸引源は、真空ポンプ、吸引器、コアンダ効果を活用するように構成された正圧作動式の吸引源、または吸引を生じさせる幾つかの他の手段を含んでもよい。いくつかの実施形態では、吸引システムは、物質の流れからの廃棄物を除去するために、加圧された出力ポート（１１０６）と吸引源との間に配置された分離器を含んでもよい。
【０１０６】
正圧作動式の吸引装置（１１００）は、ルーメン（１１０８）を含む。ルーメン（１１０８）は、入力ポート（１１０４）を加圧された出力ポート（１１０６）に連結するように構成されている。ルーメン（１１０８）は、正圧作動式の吸引装置（１１００）内に配置されている。いくつかの実施形態では、ルーメン（１１０８）は完全に囲まれてもよい。いくつかの実施形態では、ルーメン（１１０８）は、障害物がルーメン（１１０８）から除去されることを可能にするように構成された開口部を含んでもよい。
【０１０７】
正圧作動式の吸引装置（１１００）は器具用保持具（１１１２）を含む。器具用保持具（１１１２）は、正圧作動式の吸引装置（１１００）を手術器具に連結するように構成されている。器具用保持具（１１１２）は、ツールを使用することなく手術器具が正圧作動式の吸引装置（１１００）から着脱されることを可能にする。いくつかの実施形態では、器具用保持具（１１１２）は、手術器具の特定の型およびモデルを受けるように構成されてもよい。いくつかの実施形態では、器具用保持具（１１１２）は、ツールなしでの手術器具の迅速着脱を可能にするクリップ型構造を含むように構成されてもよい。
【０１０８】
正圧作動式の吸引装置（１１００）はガスケット（１１１４）を含む。ガスケット（１１１４）は、正圧作動式の吸引装置（１１００）と手術器具との間の密封を提供するように構成されている。ガスケット（１１１４）は、正圧作動式の吸引装置（１１００）と手術器具の境界面の間で吸引源からの吸引が漏れるのを防ぎ得る。いくつかの実施形態では、ガスケット（１１１４）は、障害物を除去するために、ルーメン（１１０８）へのアクセスを可能にするように構成された障害物除去ポートを含んでもよい。この構成によって、ユーザーは、障害物を除去するために、手術器具を取り外し、ルーメン（１１０８）に直接アクセスすることができる。いくつかの実施形態では、ガスケット（１１１４）は、ルーメン（１１０８）内の障害物を除去するべく操作されるように構成された可撓性膜を含んでもよい。
【０１０９】
正圧作動式の吸引装置（１１００）は吸引制御部（１１１６）を含む。吸引制御部（１１１６）は、入力ポート（１１０４）の近くで生じた吸引を調節するように構成されている。吸引制御部（１１１６）は、正圧作動式の吸引装置（１１００）により吸引された液体、固体および気体の比率を調節し得る。いくつかの実施形態では、吸引制御部（１１１６）は、調節可能な圧力間隙を含んでもよい。調節可能な圧力間隙は、正圧源から圧力を供給するように構成された、吸引制御部（１１１６）内の環状開口部を含んでもよい。調節可能な圧力間隙は、正圧源から受けた圧力の質量流量を調節するように構成されてもよい。圧力の質量流量の増加によって、物質の流れの質量流量の上限が、正圧作動式の吸引装置（１１００）の内部寸法によって限定されるまで、入力ポート（１１０４）で受けた物質の流れの質量流量が増加する。上限を超えた圧力の質量流量の増加は、入力ポート（１１０４）で受けた物質の流れの質量流量を増加させないかもしれない。しかしながら、上限を超えた圧力の質量流量の増加は、入力ポート（１１０４）の近くの吸引を増加させるかもしれない。言いかえれば、上限を超えた圧力の質量流量の増加は、正圧作動式の吸引装置（１１００）により吸引された物質の量を増加させないかもしれないが、物質が吸引される困難性（ｈｏｗ ｈａｒｄ）を増加させるかもしれない。いくつかの実施形態では、吸引制御部（１１１６）は、環状開口部の寸法を調節するように構成された回転可能な部材を含んでもよい。いくつかの実施形態では、吸引制御部（１１１６）は、環状開口部の寸法を調節するように構成された摺動部材を含んでもよい。
【０１１０】
調節可能な圧力間隙の環状開口部は、流体加速装置（１１３４）の内壁に対する角度で、正圧源からの圧力を流体加速装置（１１３４）に供給するように構成されてもよい。いくつかの実施形態では、吸引制御部（１１１６）は、角度を調節するように構成されてもよい。圧力が吸引制御部（１１１６）により流体加速装置（１１３４）に供給される角度を調節することによって、入力ポート（１１０４）の近くで生じた吸引が調節され得る。いくつかの実施形態では、角度は固定されてもよい。いくつかの実施形態では、角度は鋭角になる。いくつかの実施形態では、角度は、３０−６０°の間の範囲であってもよい。一実施形態では、角度は５５°であってもよい。
【０１１１】
正圧作動式の吸引装置（１１００）は、圧力入力部（１１２８）を含む。圧力入力部（１１２８）は、正圧源を受けるように構成されている。例えば、正圧源は、圧縮空気、窒素、二酸化炭素、または幾つかの他の気体の圧力源の流れであり得る。正圧源は、正圧作動式の吸引装置（１１００）のまわりの周囲の気圧を超えて加圧される。圧力入力部（１１２８）は吸引制御部（１１１６）に連結されている。圧力入力部（１１２８）は、正圧ガスを吸引制御部（１１１６）に供給するように構成されている。いくつかの実施形態では、圧力入力部（１１２８）はさらに、例えば、チューブとの連結のための外部の連結器またはコネクターを含んでもよい。
【０１１２】
正圧作動式の吸引装置（１１００）は、流体加速装置（１１３４）を含む。流体加速装置（１１３４）は、正圧源から入力ポート（１１０４）の近くの低圧領域を生じさせるように構成されている。一実施形態では、流体加速装置（１１３４）は、入力ポート（１１０４）の近くの吸引をもたらすコアンダ効果を活用するように構成されている。吸引は、外部の吸引ポンプではなく、主として流体加速装置（１１３４）に提供される空気または気体（典型的に周囲圧力を超えて加圧された）の流れから流体加速装置（１１３４）によってもたらされる（しかし、該装置は吸引ポンプとともに使用されてもよい）。流体加速装置（１１３４）は、吸引制御部（１１１６）から正圧源を受けるように構成されている。正圧作動式の吸引装置（１１００）によって吸引された液体、固体、および気体の比率は、吸引制御部（１１１６）によって変えられてもよい。吸引制御部（１１１６）は、流体加速装置（１１３４）によって受けた正圧の量の制御によって吸引された液体、固体、および気体の比率を変えるように構成されてもよい。いくつかの実施形態では、吸引制御部（１１１６）は、正圧ガスを流体加速装置（１１３４）の内壁に対する角度に配向するように構成されている。いくつかの実施形態では、流体加速装置（１１３４）は、本質的に互いに一列に位置する１つ以上の中空部を含んでもよい。１つ以上の中空部は、一続きになるように連通して構成されてもよい。１つ以上の中空部は、例えば、吸引の流れが１つの中空部から別の中空部まで移動するように、流動的に連続していてもよい。１つ以上の中空部は、例えば、吸引された気体、液体、固体、またはその任意の組み合わせの流れが、１つの中空部から別の中空部まで移動するように連通するように構成されてもよい。
【０１１３】
図１１Ｂは、正圧作動式の吸引装置（１１００）の動作を例証するブロック図である。
動作時に、正圧源（１１１８）が、圧力入力部（１１２８）によって受け取られる。圧力入力部（１１２８）は、吸引制御部（１１１６）に連結されている。圧力入力部（１１２８）は、正圧源（１１１８）を吸引制御部（１１１６）に供給する。吸引制御部（１１１６）は、正圧源（１１１８）を流体加速装置（１１３４）に供給するように構成された環状開口部を含む。吸引制御部（１１１６）は、流体加速装置（１１３４）に供給された正圧源（１１１８）の量を調節するように構成されてもよい。流体加速装置（１１３４）に供給された正圧源（１１１８）の量は、物質の流れ（１１２０）として吸引された液体、固体、および気体の比率を調節し得る。流体加速装置（１１３４）は、吸引制御部（１１１６）から受けた正圧源（１１１８）から低圧領域（１１２２）を生じさせるように構成されている。低圧領域（１１２２）は、周囲の気圧より下の圧力であり、それ故、物質の流れ（１１２０）は正圧作動式の吸引装置（１１００）へと引き込まれる。物質の流れ（１１２０）は、入力ポート（１１０４）、流体加速装置（１１３４）およびルーメン（１１０８）を通って、正圧の流出物（１１３０）として、加圧された出力ポート（１１０６）によって放出される。
【０１１４】
図１２は、正圧作動式の吸引装置を動作させる方法を例証する図である。図１２に例証された工程は、正圧作動式の吸引装置（１１００）の１つ以上の要素によって実行され得る。加圧された気体の流れは、入力ポートで受け取られる（１２０２）。例えば、入力ポート（１１０４）は、正圧源（１１１８）を受けるように構成されている。正圧源（１１１８）は、加圧された気体の流れの一例である。入力ポート（１１０４）は、正圧源（１１１８）を吸引制御部（１１１６）に供給するように構成されている。吸引制御部（１１１６）は流体加速装置（１１３４）に連結されている。吸引制御部（１１１６）は、正圧源（１１１８）を流体加速装置（１１３４）に供給するように構成されている。低圧領域は、入力ポートの近くにもたらされる（１２０４）。例えば、流体加速装置（１１３４）は、正圧源（１１１８）から入力ポート（１１０４）の近くの低圧領域（１１２２）をもたらすように構成されている。流体加速装置（１１３４）は、低圧領域（１１２２）を生じさせるコアンダ効果を活用するように構成されてもよい。低圧領域と周囲の気圧との間の圧力差は調節される（１２０６）。例えば、吸引制御部（１１１６）は、流体加速装置（１１３４）への正圧源（１１１８）の供給を調節するように構成された調節可能な環状間隙を含む。流体加速装置（１１３４）への正圧源（１１１８）の供給の調節によって、低圧領域（１１２２）と周囲の気圧との間の圧力差が調節される。物質の流れは、吸引装置へと引き込まれる（１２０８）。例えば、低圧領域（１１２２）は周囲の気圧未満である。この圧力差は、物質の流れ（１１２０）が入力ポート（１１０４）に入る原因となる。入力ポート（１１０４）は、物質の流れ（１１２０）を受けるように構成されている。加圧された気体の流れ及び物質の流れを含み得る正圧の流出物は、排出ポートから排出される（１２１０）。例えば、正圧作動式の吸引装置（１１００）は、入力ポート（１１０４）からの物質の流れ（１１２０）を流体加速装置（１１３４）およびルーメン（１１０８）に通して、正圧の流出物（１１３０）（これは正圧源（１１１８）および物質の流れ（１１２０）を含むことができる）を加圧された出力ポート（１１０６）から排出するように構成されている。
【０１１５】
図１３Ａは、吸引システム（１３００）の動作を例証するブロック図である。吸引システム（１３００）は、吸引装置（１３０２）、吸引源（１３１８）、および手術器具（１３３２）を含む。
【０１１６】
吸引システム（１３００）は吸引装置（１３０２）を含む。吸引装置（１３０２）は、吸引装置（１００）、吸引装置（２０２）、吸引装置（４０２）、吸引装置（５０２）、吸引装置（６０２）、吸引装置（８００）、吸引装置（９０２）、および正圧作動式の吸引装置（１１００）の一例であるが、吸引装置（１３０２）は、代替的な構成および動作の方法を含んでもよい。吸引装置（１３０２）は、入力ポート（１３０４）、吸引ポート（１３０６）、吸引ルーメン（１３０８）、器具用保持具（１３１２）、ガスケット（１３１４）、吸引制御部（１３１６）、吸引源（１３１８）、ノズル取り付け部（１３２４）、およびノズル（１３２６）を含む。
吸引装置（１３０２）は、吸引源（１３１８）に連結するように構成されている。吸引源（１３１８）は、真空ポンプ、吸引器、コアンダ効果を活用するように構成された正圧作動式の吸引源、または吸引を生じさせる幾つかの他の手段であってもよい。吸引源（１３１８）は、入力ポート（１３０４）の近くに低圧領域（１３２２）を生じさせる。低圧領域（１３２２）は、周囲の気圧より下の圧力であり、それ故、物質の流れ（１３２０）は吸引装置（１３０２）へと引き込まれる。吸引装置（１３０２）は器具用保持具（１３１２）を含む。器具用保持具（１３１２）は、吸引装置（１３０２）を手術器具（１３３２）に連結するように構成されている。
【０１１７】
吸引装置（１３０２）は入力ポート（１３０４）を含む。入力ポート（１３０４）は、物質の流れ（１３２０）を受けるように構成されている。物質の流れ（１３２０）は、液体、気体および固体を含み得る。物質の流れ（１３２０）は、体液、手術の副産物および煙を含み得る。入力ポート（１３０４）は、吸引装置（１３０２）の遠位端に面して配置されている。入力ポート（１３０４）は、吸引ルーメン（１３０８）に連結されている。入力ポート（１３０４）は、物質の流れ（１３２０）を吸引ルーメン（１３０８）に供給するように構成されている。
【０１１８】
吸引装置（１３０２）は吸引ポート（１３０６）を含む。吸引ポート（１３０６）は、吸引ルーメン（１３０８）からの物質の流れ（１３２０）を受けるように構成されている。吸引ポート（１３０６）は、吸引装置（１３０２）の近位端に配置されている。吸引ポート（１３０６）は、吸引ルーメン（１３０８）に連結されている。吸引ポート（１３０６）は、物質の流れ（１３２０）を放出するように構成されている。吸引ポート（１３０６）は、吸引源（１３１８）に連結されている。吸引源（１３１８）は、真空ポンプ、吸引器、コアンダ効果を活用するように構成された正圧作動式の吸引源、または吸引を生じさせる幾つかの他の手段を含んでもよい。いくつかの実施形態では、吸引システム（１３００）は、物質の流れ（１３２０）からの廃棄物を除去するために、吸引ポート（１３０６）と吸引源（１３１８）との間に配置された分離器を含んでもよい。
【０１１９】
吸引装置（１３０２）は吸引ルーメン（１３０８）を含む。吸引ルーメン（１３０８）は、入力ポート（１３０４）を吸引ポート（１３０６）に連結するように構成されている。吸引ルーメン（１３０８）は吸引装置（１３０２）内に配置されている。いくつかの実施形態では、吸引ルーメン（１３０８）は完全に囲まれてもよい。いくつかの実施形態では、吸引ルーメン（１３０８）は、障害物が吸引ルーメン（１３０８）から除去されることを可能にするように構成された開口部を含んでもよい。
【０１２０】
吸引装置（１３０２）は器具用保持具（１３１２）を含む。器具用保持具（１３１２）は、吸引装置（１３０２）を手術器具に連結するように構成されている。器具用保持具（１３１２）は、ツールを使用することなく手術器具が吸引装置（１３０２）から着脱されることを可能にする。いくつかの実施形態では、器具用保持具（１３１２）は、手術器具の特定の型およびモデルを受けるように構成されてもよい。いくつかの実施形態では、器具用保持具（１３１２）は、ツールなしでの手術器具の迅速な着脱を可能にするクリップ型構造を含むように構成されてもよい。
【０１２１】
吸引装置（１３０２）はガスケット（１３１４）を含む。ガスケット（１３１４）は、吸引装置（１３０２）と手術器具との間に密封を提供するように構成されている。ガスケット（１３１４）は、吸引装置（１３０２）と手術器具の境界面の間に吸引源（１３１８）からの吸引が漏れるのを防ぎ得る。いくつかの実施形態では、ガスケット（１３１４）は、障害物を除去するために、吸引ルーメン（１３０８）へのアクセスを可能にするように構成された障害物除去ポートを含んでもよい。この構成によって、ユーザーは、障害物を除去するために手術器具を取り外し、吸引ルーメン（１３０８）に直接アクセスすることができる。いくつかの実施形態では、ガスケット（１３１４）は、吸引ルーメン（１３０８）内の障害物を除去するべく操作されるように構成された可撓性膜を含んでもよい。
【０１２２】
吸引装置（１３０２）は吸引制御部（１３１６）を含む。吸引制御部（１３１６）は、吸引装置（１３０２）へと引き込まれた液体、固体および気体の吸引比率を調節するように構成されている。吸引制御部（１３１６）は、ノズル（１３２６）の位置を調節することによって、吸引装置（１３０２）により吸引された液体、固体および気体の比率を調節し得る。いくつかの実施形態では、吸引制御部（１３１６）は、入力ポート（１３０４）で含まれた吸気ポートを調節するように構成されてもよい。いくつかの実施形態では、吸引制御部（１３１６）は、ノズル（１３２６）で含まれた吸気ポートを調節するように構成されてもよい。いくつかの実施形態では、吸引制御部（１３１６）は摺動部材を含んでもよい。いくつかの実施形態では、摺動部材は、吸引装置（１３０２）により吸引された液体、固体および気体の比率を選択的に調節するために、ノズル（１３２６）を伸縮するように構成されてもよい。いくつかの実施形態では、吸引制御部（１３１６）は、吸引制御部（１３１６）の位置を固定する手段を含んでもよい。吸引制御部（１３１６）を固定する手段は、戻り止め、摩擦嵌合、ノッチ、または吸引制御部（１３１６）の位置を固定する幾つかの他の手段を含んでもよい。
【０１２３】
吸引装置（１３０２）はノズル取り付け部（１３２４）を含む。吸引装置（１３０２）はノズル取り付け部（１３２４）を含む。ノズル取り付け部（１３２４）は、意図される用途に適した様々な異なるノズル（１３２６）を受けるように構成されている。いくつかの実施形態では、ノズル取り付け部（１３２４）は、ねじ、ルアーロック、急速着脱式の継手、またはノズル（１３２６）の取り付けを可能にするように構成された幾つかの他の継手を含んでもよい。
【０１２４】
吸引装置（１３０４）はノズル（１３２６）を含む。ノズル（１３２６）は、ノズル取り付け部（１３２４）に連結するように構成されている。ノズル（１３２６）の形状および構成は、意図される用途によって様々であり得る。ノズル（９２６）は市販のノズルであってもよい。
【０１２５】
吸引システム（１３００）は吸引源（１３１８）を含む。吸引源（１３１８）は、吸引源（２１８）、吸引源（６１８）および吸引源（９１８）の一例であるが、吸引源（１３１８）は、代替的な構成および動作の方法を含んでもよい。吸引源（１３１８）は、吸引を吸引装置（１３０２）に供給するように構成されている。吸引源（１３１８）は、真空ポンプ、吸引器、コアンダ効果を活用するように構成された正圧作動式の吸引源、または吸引を生じさせる幾つかの他の手段であってもよい。
【０１２６】
吸引システム（１３００）は手術器具（１３３２）を含む。手術器具（１３３２）は、吸引装置（１３０２）から恩恵を受け得る手術器具であってもよい。吸引装置（１３０２）から恩恵を受け得る幾つかの手術器具は、熱伝導、ジアテルミー、無線周波、およびレーザー手術法を使用する、電気手術器具を含む。
【０１２７】
動作時に、吸引源（１３１８）は、吸引を吸引ポート（１３０６）に供給する。吸引ポート（１３０６）は吸引源（１３１８）に連結されている。吸引ポート（１３０６）は、吸引源（１３１８）から吸引を受ける。吸引ルーメン（１３０８）は、吸引ポート（１３０６）を入力ポート（１３０４）に連結するように構成されている。吸引ルーメン（１３０８）は、吸引ポート（１３０６）によって受けた吸引を入力ポート（１３０４）に移動させる。入力ポート（１３０４）はノズル取り付け部（１３２４）に連結されている。ノズル取り付け部（１３２４）はノズル（１３２６）に連結されている。低圧領域（１３２２）を生じさせるために、吸引は、入力ポート（１３０４）からノズル取り付け部（１３２４）およびノズル（１３２６）を通って移動される。吸引制御部（１３１６）は、吸引装置（１３０２）によって吸引された液体、固体、および気体の比率を変えるように構成されている。いくつかの実施形態では、吸引制御部（１３１６）は、液体、固体および気体の吸引比率を変えるために、手術器具（１３３２）に対するノズル（１３２６）の位置を調節するように構成されてもよい。低圧領域（１３２２）は、周囲の気圧より下の圧力である。この圧力差は、物質の流れ（１３２０）が吸引装置（１３０２）を通る原因となる。物質の流れ（１３２０）は、吸引装置（１３０２）を通って、吸引ポート（１３０６）により放出される。
【０１２８】
図１３Ｂは、障害物がある場合の吸引システム（１３００）の動作を例証するブロック図である。図１３Ｂは、障害物（１３５０）のある吸引システム（１３００）を例証している。障害物（１３５０）は、物質の流れ（１３２０）のすべて又は一部が吸引装置（１３０２）を通ることを妨げる。障害物（１３５０）は、図１３Ｂにおいて入力ポート（１３０４）と吸引ルーメン（１３０８）との間に例証されているが、吸引装置（１３０２）内のいかなる場所にも存在し得ることが理解されるべきである。
【０１２９】
図１３Ｃは、吸引システム（１３００）における除去の動作を例証するブロック図である。器具用保持具（１３１２）は、ツールを使用することなく手術器具（１３３２）が吸引装置（１３０２）から着脱されることを可能にするように構成されている。図１３Ｂにおいて例証されるように、物質の流れ（１３２０）が吸引装置（１３０２）を通ることを障害物（１３５０）が妨げた場合、手術器具（１３３２）は、障害物（１３５０）を除去するために吸引装置（１３０２）から取り外され得る。
【０１３０】
図１３Ｃは、吸引装置（１３０２）から取り外された手術器具（１３３２）を例証している。障害物（１３５０）は吸引装置（１３０２）から除去された。いくつかの実施形態では、ガスケット（１３１４）は、入力ポート（１３０４）、吸引ルーメン（１３０８）、または吸引ポート（１３０６）、あるいはそれらの組み合わせへのアクセスを可能にするように構成された障害物除去ポートを含んでもよい。障害物（１３５０）は、障害物除去ポートを通って除去され得る。いくつかの実施形態では、ガスケット（１３１４）は可撓性膜を含んでもよい。可撓性膜は、ユーザーが障害物（１３５０）を取り除くように可撓性膜を操作し、障害物（１３５０）を吸引ポート（１３０６）に通して出すことを可能にするように構成されてもよい。いくつかの実施形態では、吸引ルーメン（１３０８）は、吸引装置（１３０２）と手術器具（１３３２）との間に配置された開口部を含んでもよい。この構成では、手術器具（１３３２）は、吸引ルーメン（１３０８）の壁の一部を形成する。ガスケット（１３１４）は、吸引ルーメン（１３０８）と手術器具（１３３２）との間に密封を提供するように構成されてもよい。
【０１３１】
図１４は、吸引システムを動作させる方法を例証する図である。図１４に例証された工程は、吸引システム（１３００）の１つ以上の要素によって実行され得る。手術器具は吸引装置に付けられている（１４００）。例えば、吸引装置（１３０２）は器具用保持具（１３１２）を含む。器具用保持具（１３１２）は、手術器具（１３３２）を吸引装置（１３０２）に付けるように構成されている。器具用保持具（１３１２）は、手術器具（１３３２）が吸引装置（１３０２）から迅速に着脱され得るように構成されている。吸引は、吸引装置の吸引ポートに適用される（１４０４）。例えば、吸引ポート（１３０６）は、吸引源（１３１８）に連結するように構成されている。吸引源（１３１８）は、吸引を吸引装置（１３０２）の吸引ポート（１３０６）に適用するように構成されている。低圧領域は、吸引装置の入力ポートの近くに作られる（１４０６）。例えば、吸引装置（１３０２）は、吸引源（１３１８）から吸引装置（１３０２）のノズル（１３２６）の近くの低圧領域（１３２２）を生じさせるように構成されている。いくつかの実施形態では、入力ポート（１３０４）は、ノズル（１３２６）なしで使用されてもよい。低圧領域と周囲の気圧との間の圧力差は調節される（１４０８）。例えば、吸引装置（１３０２）は吸引制御部（１３１６）を含む。吸引制御部（１３１６）は、低圧領域（１３２２）と周囲の気圧との間の圧力差を調節するように構成されている。吸引制御部（１３１６）は、低圧領域（１３２２）と周囲の気圧との間の圧力差を調節するために吸引源（１３１８）を調節しない。物質の流れは、入力ポートへと引き込まれる（１４１０）。例えば、入力ポート（１３０４）は、物質の流れ（１３２０）を受けるように構成されている。低圧領域（１３２２）は、周囲の気圧より下の圧力である。低圧領域（１３２２）は、物質の流れ（１３２０）を入力ポート（１３０４）へと引き込むように構成されている。手術器具は、障害物がある場合に吸引装置から取り外される（１４１２）。例えば、器具用保持具（１３１２）は、手術器具（１３３２）が吸引装置（１３０２）から容易に取り外されることを可能にするように構成されている。障害物は吸引装置から除去される（１４１４）。吸引装置（１３０２）は、吸引装置（１３０２）からの障害物（１３５０）を除去するためのアクセスポートを含むように構成されてもよい。該方法は、障害物（１３５０）が吸引装置（１３０２）から除去されると、工程１４００で始まって繰り返され得る。
【０１３２】
図１５は、吸引システム（１５００）を例証するブロック図である。吸引システム（１５００）は、吸引装置（１５０２）、吸引源（１５１８）、手術器具（１５３２）、流体分離器（１５３６）、および収集容器（１５４０）を含む。吸引装置（１５０２）、吸引源（１５１８）および手術器具（１５３２）は、前に記載された要素の例である。流体分離器（１５３６）は、物質の流れ（１５２０）に含まれ得る液体、固体および気体を分離するように構成されてもよい。流体分離器（１５３６）は収集容器（１５４０）に連結されている。収集容器（１５４０）は、流体分離器（１５３６）によって物質の流れ（１５２０）から分離された構成物を受けるように構成されている。収集容器（１５４０）は、流体分離器（１５３６）によって物質の流れ（１５２０）から分離された構成物を測定する、安全に輸送する、または廃棄するために使用されてもよい。
【０１３３】
動作時に、吸引源（１５１８）は、吸引を流体分離器（１５３６）に供給する。流体分離器（１５３６）は、物質の流れ（１５２０）に含まれる構成物を分離するために、吸引源（１５１８）によって供給された吸引を使用するように構成されている。流体分離器（１５３６）は、吸引源（１５１８）からの吸引を吸引装置（１５０２）に移動させるように構成されている。吸引装置（１５０２）は、入力ポート（１５０４）の近くに低圧領域（１５２２）を生じさせるように構成されている。低圧領域（１５２２）は、周囲の気圧より下の圧力である。この圧力差は、物質の流れ（１５２０）が吸引装置（１５０２）へと引き込まれる原因となる。
【０１３４】
手術器具（１５３２）は電気手術器具であってもよい。電気手術器具の使用によって、煙または他の有毒ガスが生じ得る。吸引装置（１５０２）は、少なくとも手術器具（１５３２）によって生じた煙または他の有毒ガスを吸引するように構成されている。吸引装置（１５０２）は、煙および他の有毒ガスに加えて液体および固体を吸引し得る。吸引装置（１５０２）は、吸引装置（１５０２）によって吸引された液体、固体、および気体の比率を変えるための吸引制御部を含んでもよい。
【０１３５】
物質の流れ（１５２０）は、吸引装置（１５０２）から吸引ポート（１５０６）を出て放出される。物質の流れ（１５２０）は、流体分離器（１５３６）によって受け取られる。流体分離器（１５３６）は、物質の流れ（１５２０）を含み得る気体から液体および固体を分離するための低気圧性の（ｃｙｃｌｏｎｉｃ）流れおよび重力を使用するように構成されてもよい。流体分離器（１５３６）は、少なくとも物質の流れ（１５２０）に含まれる液体および固体を収集容器（１５４０）に放出するように構成されている。物質の流れ（１５２０）からの気体は、吸引源（１５１８）によって流体分離器（１５３６）から吸引されてもよい。図１５には例証されていないが、吸引システム（１５００）全体にわたって様々な点でフィルタが含まれてもよい。例えば、吸引装置（１５０２）は、フィルタを含むように構成されてもよいか、あるいはフィルタは流体分離器（１５３６）と吸引源（１５１８）との間で置かれてもよい。
【０１３６】
図１６は、吸引システムを動作させる方法を例証する図である。図１６に例証された工程は、吸引システム（１５００）の１つ以上の要素によって実行され得る。吸引は流体分離器に供給される（１６０２）。例えば、吸引システム（１５００）は吸引源（１５１８）を含む。吸引源（１５１８）は流体分離器（１５３６）に連結されている。吸引源（１５１８）は、吸引を流体分離器（１５３６）に供給するように構成されている。吸引は、流体分離器から吸引装置に移される（１６０４）。例えば、流体分離器（１５３６）は吸引装置（１５０２）に連結されている。流体分離器（１５３６）は、吸引源（１５１８）からの吸引を吸引装置（１５０２）に移動させるように構成されている。低圧領域は、吸引装置の入力ポートの近くに作られる（１６０６）。例えば、吸引装置（１５０２）は入力ポート（１５０４）を含む。低圧領域（１５２２）は、吸引源（１５１８）によって入力ポート（１５０４）の近くに作られる。物質の流れを入力ポートへと引き込む（１６０８）。例えば、低圧領域（１５２２）は、周囲の気圧より下の圧力である。低圧領域（１５２２）と周囲の気圧との間の圧力差は、物質の流れ（１５２０）を入力ポート（１５０４）へと引き込む原因となる。物質の流れを吸引装置から排出する（１６１０）。吸引装置（１５０２）は吸引ポート（１５０６）を含む。吸引ポート（１５０６）は、物質の流れ（１５２０）を排出するように構成されている。物質の流れは、流体分離器によって受け取られる（１６１２）。例えば、流体分離器（１５３６）は吸引装置（１５０２）に連結されている。流体分離器（１５３６）は、物質の流れ（１５２０）を受けるように構成されている。液体および固体は、物質の流れから分離される（１６１４）。流体分離器（１５３６）は、吸引源（１５１８）によって供給された吸引を使用して、物質の流れ（１５２０）から液体、固体および気体を分離するように構成されている。
【０１３７】
図１７Ａは、手術器具（１７００）を備えた吸引装置を例証する図である。手術器具（１７００）を備えた吸引装置は、吸引装置（１７０２）および手術器具（１７３２）を含む。
【０１３８】
手術器具（１７００）を備えた吸引装置は、吸引装置（１７０２）を含む。吸引装置（１７０２）は、吸引装置（１００）、吸引装置（２０２）、吸引装置（４０２）、吸引装置（５０２）、吸引装置（６０２）、吸引装置（８００）、吸引装置（９０２）、および正圧作動式の吸引装置（１１００）の一例であるが、吸引装置（１７０２）は、代替的な構成および動作の方法を含んでもよい。吸引装置（１７０２）は、入力ポート（１７０４）、吸引ポート（１７０６）、吸引ルーメン（１７０８）、器具用保持具（１７１２）、およびガスケット（１７１４）を含む。吸引装置（１７０２）は、吸引源に連結するように構成されている。吸引源は、真空ポンプ、吸引器、コアンダ効果を活用するように構成された正圧作動式の吸引源、または吸引を生じさせる幾つかの他の手段であってもよい。吸引源は、入力ポート（１７０４）の近くに低圧領域を生じさせるように構成されている。低圧領域は、周囲の気圧より下の圧力であり、それ故、物質の流れは吸引装置（１７０２）へと引き込まれる。吸引装置（１７０２）は器具用保持具（１７１２）を含む。器具用保持具（１７１２）は、吸引装置（１７０２）を手術器具（１７３２）に連結するように構成されている。
【０１３９】
吸引装置（１７０２）は入力ポート（１７０４）を含む。入力ポート（１７０４）は、吸引装置（１７０２）の遠位端に面して配置されている。入力ポート（１７０４）は筒状体を含む。入力ポート（１７０４）は、吸引装置（１７０２）に含まれる対になった円筒空胴に連結するように構成されている。入力ポート（１７０４）は、吸引ルーメン（１７０８）と流体連通するように構成されている。いくつかの実施形態では、入力ポート（１７０４）は、筒状体内に配置された複数のベンチュリポートを含んでもよい。入力ポート（１７０４）は、物質の流れを受けるように構成されている。物質の流れは、液体、気体および固体を含み得る。物質の流れは、体液、手術の副産物および煙を含み得る。入力ポート（１７０４）は、物質の流れを吸引ルーメン（１７０８）に供給するように構成されている。
【０１４０】
吸引装置（１７０２）は吸引ポート（１７０６）を含む。吸引ポート（１７０６）は、吸引ルーメン（１７０８）から受けた物質の流れを放出するように構成されている。吸引ポート（１７０６）は、吸引装置（１７０２）の近位端に配置されている。吸引ポート（１７０６）は吸引ルーメン（１７０８）に連結されている。吸引ポート（１７０６）は、吸引ルーメン（１７０８）からの物質の流れを受けるように構成されている。吸引ポート（１７０６）は、吸引源または吸引源に連結されている流体分離器に連結するように構成されている。吸引源は、真空ポンプ、吸引器、コアンダ効果を活用するように構成された正圧作動式の吸引源、または吸引を生じさせる幾つかの他の手段を含んでもよい。いくつかの実施形態では、吸引システムは、物質の流れからの廃棄物を除去するために、吸引ポート（１７０６）と吸引源との間に配置された分離器を含んでもよい。
【０１４１】
吸引装置（１７０２）は吸引ルーメン（１７０８）を含む。吸引ルーメン（１７０８）は吸引装置（１７０２）内に配置されている。吸引ルーメン（１７０８）は、完全に囲まれた固体壁を有しているルーメンで構成されている。吸引ルーメン（１７０８）は、吸引ポート（１７０６）が手術器具（１７３２）に対して好適に位置するように、手術器具（１７３２）と略同じ長さとなるように構成されている。この構成は、出力管またはホースが手術器具（１７３２）の動作を妨害するのを防ぐ。吸引ルーメン（１７０８）は、入力ポート（１７０４）を吸引ポート（１７０６）に連結するように構成されている。
【０１４２】
吸引装置（１７０２）は器具用保持具（１７１２）を含む。器具用保持具（１７１２）は、吸引装置（１７０２）を手術器具（１７３２）に連結するように構成されている。器具用保持具（１７１２）は、ツールを使用することなく手術器具（１７３２）が吸引装置（１７０２）から着脱されることを可能にする。いくつかの実施形態では、器具用保持具（１７１２）は、手術器具の特定の型およびモデルを受けるように構成されてもよい。この例において、器具用保持具（１７１２）は、摩擦を使用して、吸引装置（１７０２）を手術器具（１７３２）に連結するように構成されている。
【０１４３】
吸引装置（１７０２）はガスケット（１７１４）を含む。ガスケット（１７１４）、は吸引装置（１７０２）と手術器具（１７３２）との間に密封を提供するように構成されている。ガスケット（１７１４）は、吸引装置（１７０２）と手術器具（１７３２）との間で吸引が漏れるのを防ぎ得る。
【０１４４】
手術器具（１７００）を備えた吸引装置は、手術器具（１７３２）を含む。手術器具（１７３２）は、吸引装置（１７０２）から恩恵を受け得る手術器具であってもよい。吸引装置（１７０２）から恩恵を受け得る幾つかの手術器具は、熱伝導、ジアテルミー、無線周波、およびレーザー手術法を使用する、電気手術器具を含む。
【０１４５】
図１７Ｂは、手術器具（１７００）を備えた吸引装置を例証する分解図である。図１７Ｂにおいて例証された要素は、図１７Ａと同じである。簡潔さのために、要素はさらには記載されない。
【０１４６】
図１７Ｃは、手術器具（１７００）を備えた吸引装置の動作を例証する断面図である。動作時に、吸引源からの吸引は、吸引ポート（１７０６）に適用される。吸引ルーメン（１７０８）は、吸引ポート（１７０６）を入力ポート（１７０４）に連結するように構成されている。吸引ルーメン（１７０８）は、吸引ポート（１７０６）によって受けた吸引を入力ポート（１７０４）に移動させる。吸引装置（１７０２）は、吸引源によって供給された吸引から入力ポート（１７０４）の近くの低圧領域（１７２２）を生じさせるように構成されている。ガスケット（１７１４）は吸引が吸引装置（１７０２）と手術器具（１７３２）の境界面の間に漏れるのを防ぐように構成されている。低圧領域（１７２２）は、周囲の気圧より下の圧力である。この圧力差は、物質の流れ（１７２０）が吸引装置（１７０２）へと引き込まれる原因である。吸引装置（１７０２）は、物質の流れ（１７２０）を、入力ポート（１７０４）、吸引ルーメン（１７０８）に通して、吸引ポート（１７０６）から出す。いくつかの実施形態では、吸引源への連結前に、フィルタが吸引ポート（１７０６）に連結されてもよい。いくつかの実施形態では、吸引源への連結前に、流体分離器が吸引ポート（１７０６）に連結されてもよい。
【０１４７】
図１８Ａは、手術器具（１８００）を備えた吸引装置を例証する図である。手術器具（１８００）を備えた吸引装置は、吸引装置（１８０２）および手術器具（１８３２）を含む。吸引装置（１８０２）は、吸引源に連結するように構成されている。吸引源は、真空ポンプ、吸引器、コアンダ効果を活用するように構成された正圧作動式の吸引源、または吸引を生じさせる幾つかの他の手段であってもよい。吸引源は、入力ポート（１８０４）の近くに低圧領域を生じさせるように構成されている。低圧領域は、周囲の気圧より下の圧力であり、それ故、物質の流れは吸引装置（１８０２）へと引き込まれる。吸引装置（１８０２）は器具用保持具（１８１２）を含む。器具用保持具（１８１２）は、吸引装置（１８０２）を手術器具（１８３２）に連結するように構成されている。
【０１４８】
手術器具（１８００）を備えた吸引装置は、吸引装置（１８０２）を含む。吸引装置（１８０２）は、吸引装置（１００）、吸引装置（２０２）、吸引装置（４０２）、吸引装置（５０２）、吸引装置（６０２）、吸引装置（８００）、吸引装置（９０２）、および正圧作動式の吸引装置（１１００）の一例であるが、吸引装置（１８０２）は、代替的な構成および動作の方法を含んでもよい。吸引装置（１８０２）は、入力ポート（１８０４）、吸引ポート（１８０６）、吸引ルーメン（１８０８）、ベンチュリポート（１８１０）、器具用保持具（１８１２）、ガスケット（１８１４）、ノズル取り付け部（１８２４）、およびノズル（１８２６）を含む。
【０１４９】
吸引装置（１８０２）は入力ポート（１８０４）を含む。入力ポート（１８０４）は、物質の流れを受けるように構成されている。物質の流れは、液体、気体および固体を含み得る。物質の流れは、体液、手術の副産物および煙を含み得る。入力ポート（１８０４）は、吸引装置（１８０２）の遠位端に面して配置されている。入力ポート（１８０４）は、吸引ルーメン（１８０８）を介して吸引ポート（１８０６）に結合する。入力ポート（１８０４）は、吸引ルーメン（１８０８）と流体連通している。入力ポート（１８０４）は、物質の流れを吸引ルーメン（１８０８）に供給するように構成されている。
【０１５０】
入力ポート（１８０４）は、複数のベンチュリポート（１８１０）を含む。ベンチュリポート（１８１０）は、少なくともガス、エアロゾルおよび煙を吸引するように構成されている。ベンチュリポート（１８１０）は、吸引装置（１８０２）によって吸引された物質の流れの吸引を改善し得る。ベンチュリポート（１８１０）は、吸引装置（１８０２）によって吸引された液体、固体、および気体の比率を調節するように構成されてもよい。動作時に、ベンチュリポート（１８１０）は、一定量の流れを維持する間に流れの速度を増加させる。ベンチュリポート（１８１０）は、具体的な用途のために構成されてもよい。
【０１５１】
吸引装置（１８０２）は吸引ポート（１８０６）を含む。吸引ポート（１８０６）は、吸引ルーメン（１８０８）から受けた物質の流れを放出するように構成されている。吸引ポート（１８０６）は、吸引装置（１８０２）の近位端に配置されている。吸引ポート（１８０６）は吸引ルーメン（１８０８）に連結されている。吸引ポート（１８０６）は、吸引ルーメン（１８０８）からの物質の流れを受けるように構成されている。吸引ポート（１８０６）は、吸引源または吸引源に連結されている流体分離器に連結するように構成されている。吸引源は、真空ポンプ、吸引器、コアンダ効果を活用するように構成された正圧作動式の吸引源、または吸引を生じさせる幾つかの他の手段を含んでもよい。いくつかの実施形態では、吸引システムは、物質の流れからの廃棄物を除去するために、吸引ポート（１８０６）と吸引源との間に配置された分離器を含んでもよい。
【０１５２】
吸引装置（１８０２）は吸引ルーメン（１８０８）を含む。吸引ルーメン（１８０８）は吸引装置（１８０２）内に配置されている。吸引ルーメン（１８０８）は、完全に囲まれた固体壁を有しているルーメンで構成されている。吸引ルーメン（１８０８）は、吸引ポート（１８０６）が手術器具（１８３２）に対して好適に位置するように、手術器具（１８３２）と略同じ長さとなるように構成されている。この構成は、出力管またはホースが手術器具（１８３２）の動作を妨害するのを防ぐ。吸引ルーメン（１８０８）は、入力ポート（１８０４）を吸引ポート（１８０６）に連結するように構成されている。
【０１５３】
吸引装置（１８０２）は器具用保持具（１８１２）を含む。器具用保持具（１８１２）は、吸引装置（１８０２）を手術器具（１８３２）に連結するように構成されている。器具用保持具（１８１２）は、ツールを使用することなく手術器具（１８３２）が吸引装置（１８０２）から着脱されることを可能にする。いくつかの実施形態では、器具用保持具（１８１２）は、手術器具の特定の型およびモデルを受けるように構成されてもよい。この例において、器具用保持具（１８１２）は、摩擦を使用して、吸引装置（１８０２）を手術器具（１８３２）に連結するように構成されている。
【０１５４】
吸引装置（１８０２）はガスケット（１８１４）を含む。ガスケット（１８１４）は、吸引装置（１８０２）と手術器具（１８３２）との間に密封を提供するように構成されている。ガスケット（１８１４）は、吸引装置（１８０２）と手術器具（１８３２）との間で吸引が漏れるのを防ぎ得る。
【０１５５】
吸引装置（１８０２）はノズル取り付け部（１８２４）を含む。ノズル取り付け部（１８２４）は、意図される用途に適した様々な異なるノズル（１８２６）に連結するように構成されている。この実施形態では、ノズル取り付け部（１８２４）は、摩擦を使用してノズル（１８２６）を固定するように構成されている。いくつかの実施形態では、ノズル取り付け部（１８２４）は、ねじ、ルアーロック、急速着脱式の継手、またはノズル（１８２６）の取り付けを可能にするように構成された幾つかの他の継手を含んでもよい。
【０１５６】
吸引装置（１８０２）はノズル（１８２６）を含む。ノズル（１８２６）は、ノズル取り付け部（１８２４）に連結するように構成されている。この実施形態では、ノズル（１８２６）は、摩擦を使用してノズル取り付け部（１８２４）に固定されている。ノズル（１８２６）の形状および構成は、意図される用途によって様々であり得る。この例において、ノズル（１８２６）の遠位端は、複数のくぼみ（ｉｎｄｅｎｔａｔｉｏｎｓ）を含む。複数のくぼみのサイズ、形状および寸法は、具体的な用途に合わせて変えられ得る。ノズル（１８２６）は市販のノズルであってもよい。
【０１５７】
ノズル（１８２６）はベンチュリポート（１８３８）を含む。ベンチュリポート（１８３８）は、少なくともガス、エアロゾルおよび煙を吸引するように構成されている。ベンチュリポート（１８３８）はまた、液体を吸引し得る。ベンチュリポート（１８３８）は、吸引装置（１８０２）によって吸引された物質の流れの吸引を改善し得る。ベンチュリポート（１８３８）は、吸引装置（１８０２）によって吸引された液体、固体、および気体の比率を調節するように構成されてもよい。動作時に、ベンチュリポート（１８３８）は、一定量の流れを維持する間に流れの速度を増加させる。ベンチュリポート（１８３８）は、具体的な用途のために構成されてもよい。
【０１５８】
手術器具（１８００）を備えた吸引装置は、手術器具（１８３２）を含む。手術器具（１８３２）は、吸引装置（１８０２）から恩恵を受け得る手術器具であってもよい。吸引装置（１８０２）から恩恵を受け得る幾つかの手術器具は、熱伝導、ジアテルミー、無線周波、およびレーザー手術法を使用する、電気手術器具を含む。
【０１５９】
図１８Ｂは、手術器具（１８００）を備えた吸引装置を例証する分解図である。図１８Ｂにおいて例証された要素は、図１８Ａと同じである。簡潔さのために、要素はさらには記載されない。
【０１６０】
図１８Ｃは、手術器具（１８００）を備えた吸引装置の動作を例証する断面図である。動作時に、吸引源からの吸引は、吸引ポート（１８０６）に適用される。吸引ルーメン（１８０８）は、吸引ポート（１８０６）を入力ポート（１８０４）に連結するように構成されている。吸引ルーメン（１８０８）は、吸引ポート（１８０６）によって受けた吸引を入力ポート（１８０４）に移動させる。吸引装置（１８０２）は、吸引源によって供給された吸引から入力ポート（１８０４）およびノズル（１８２６）の近くの低圧領域（１８２２）を生じさせるように構成されている。入力ポート（１８０４）はベンチュリポート（１８１０）を含む。ベンチュリ（１８１０）は、物質の流れ（１８２０）を入力ポート（１８０４）へと引き込む。入力ポート（１８０４）はノズル（１８２６）に連結されている。ノズル（１８２６）はベンチュリポート（１８３８）を含む。ベンチュリは、物質の流れ（１８２０）をノズル（１８２６）へと引き込む。ガスケット（１８１４）は、吸引装置（１８０２）と手術器具（１８３２）の境界面の間に吸引が漏れるのを防ぐように構成されている。低圧領域（１８２２）は、周囲の気圧より下の圧力である。この圧力差は、物質の流れ（１８２０）が吸引装置（１８０２）へと引き込まれる原因である。吸引装置（１８０２）は、物質の流れ（１８２０）を、入力ポート（１８０４）、吸引ルーメン（１８０８）に通して、吸引ポート（１８０６）から出す。いくつかの実施形態では、吸引源への連結前に、フィルタが吸引ポート（１８０６）に連結されてもよい。いくつかの実施形態では、吸引源への連結前に、流体分離器が吸引ポート（１８０６）に連結されてもよい。
【０１６１】
図１９Ａは、手術器具を備えた吸引装置（１９００）を示す略図である。手術器具を備えた吸引装置（１９００）は、吸引装置（１９０２）と手術器具（１９３２）を含む。吸引装置（１９０２）は流体加速装置（１９３４）を含む。流体加速装置（１９３４）は、正圧源から入力ポート（１９０４）と吸気ポート（１９１０）の近くに低圧領域を生じさせるように構成される。低圧領域は、周囲の気圧より下の圧力であり、これにより物質の流れ（１９２０）が吸引装置（１９０２）へと引き込まれる。正圧源は、周囲の気圧より上の圧力をもたらす。流体加速装置（１９３４）は、圧力入力部（１９２６）により受けられる正圧から吸引を生じさせるように構成される。正圧源は、空気圧縮機、圧縮ガス、又はヒトの呼吸でもよい。吸引装置（１９０２）は器具用保持具（１９１２）を含む。器具用保持具（１９１２）は、手術器具（１９３２）に吸引装置（１９０２）を連結するように構成される。
【０１６２】
手術器具を備えた吸引装置（１９００）は、吸引装置（１９０２）を含む。吸引装置（１９０２）は、正圧作動式吸引装置（１１００）の例であるが、吸引装置（１９０２）は代替的な構成及び作動方法を含み得る。吸引装置（１９０２）は、入力ポート（１９０４）、加圧された出力ポート（１９０６）、ルーメン（１９０８）、吸気ポート（１９１０）、器具用保持具（１９１２）、ガスケット（１９１４）、及び流体加速装置（１９３４）を含む。
【０１６３】
吸引装置（１９０２）は入力ポート（１９０４）を含む。入力ポート（１９０４）は、物質の流れを受けるように構成される。物質の流れは、液体、気体、及び固体を含み得る。物質の流れは、体液、手術の副産物、及び煙を含み得る。入力ポート（１９０４）は、吸引装置（１９０２）の遠位端に面して配置される。入力ポート（１９０４）は、ルーメン（１９０８）を介して、加圧された出力ポート（１９０６）に連結する。入力ポート（１９０４）は、ルーメン（１９０８）と流体連通下にある。入力ポート（１９０４）は、加圧された出力ポート（１９０６）に物質の流れを供給するように構成される。
【０１６４】
入力ポート（１９０４）は複数の吸気ポート（１９１０）を含む。吸気ポート（１９１０）は、少なくとも気体、エアロゾル、及び煙を吸引するように構成される。吸気ポート（１９１０）は、吸引装置（１９０２）により吸引される物質の流れの吸引を改善し得る。吸気ポート（１９１０）は、吸引装置（１９０２）により吸引される液体、固体、及び気体の比率を調節するように構成され得る。吸気ポート（１９１０）は、特定用途のために構成されてもよい。幾つかの実施形態において、吸気ポート（１９１０）はベンチュリポートとして構成されてもよい。作動時に、ベンチュリ効果は、流れの速度を上げ、その一方で流れの一定の容量を維持する。
【０１６５】
吸引装置（１９０２）は、加圧された出力ポート（１９０６）を含む。加圧された出力ポート（１９０６）は、吸引装置（１９０２）の近位端に配置される。加圧された出力ポート（１９０６）は、ルーメン（１９０８）に連結される。加圧された出力ポート（１９０６）は、ルーメン（１９０８）からの物質の流れを受けるように構成される。加圧された出力ポート（１９０６）は、正圧流出物を放出するように構成される。正圧流出物は、圧力入力部（１９２６）にて受けられる正圧と、入力ポート（１９０４）にて受けられる物質の流れとの組み合わせを含み得る。加圧された出力ポート（１９０６）は、少なくとも収集容器、排水管、流体分離器、又は吸引源に連結するように構成される。吸引源は、真空ポンプ、吸引器、コアンダ効果を利用するように構成された正圧作動式吸引源、又は吸引をもたらす他の幾つかの手段を含み得る。
【０１６６】
吸引装置（１９０２）はルーメン（１９０８）を含む。ルーメン（１９０８）は吸引装置（１９０２）内に配置される。ルーメン（１９０８）は第１のルーメン及び第２のルーメンを含む。第１のルーメンは、圧力入力部（１９２６）を流体加速装置（１９３４）に連結する。第１のルーメンは、流体加速装置（１９３４）に正圧を供給するように構成される。第２のルーメンは、加圧された出力ポート（１９０６）を入力ポート（１９０４）に連結する。ルーメン（１９０８）は、手術器具（１９３２）とほぼ同じ長さになるように構成され、それにより、加圧された出力ポート（１９０６）と圧力入力部（１９２６）は、手術器具（１９３２）に関して都合良く位置付けられる。この構成は、チューブ又はホースが、手術器具（１９３２）の動作を妨害するのを妨げる。
【０１６７】
吸引装置（１９０２）は器具用保持具（１９１２）を含む。器具用保持具（１９１２）は、手術器具（１９３２）に吸引装置（１９０２）を連結するように構成される。器具用保持具（１９１２）は、手術器具（１９３２）を、ツールの使用無しに吸引装置（１９０２）に着脱させることを可能にする。幾つかの実施形態において、器具用保持具（１９１２）は、手術器具の特定の型とモデルを受けるように構成されてもよい。この例において、器具用保持具（１９１２）は、摩擦力を用いて吸引装置（１９０２）を手術器具（１９３２）に連結するように構成される。
【０１６８】
吸引装置（１９０２）はガスケット（１９１４）を含む。ガスケット（１９１４）は、吸引装置（１９０２）と手術器具（１９３２）との間に密封をもたらすように構成される。ガスケット（１９１４）は、圧力が吸引装置（１９０２）と手術器具（１９３２）の間に漏れるのを妨げ得る。
【０１６９】
手術器具を備える吸引装置（１９００）は手術器具（１９３２）を含む。手術器具（１９３２）は、吸引装置（１９０２）から利益を得ることのある任意の手術器具であり得る。吸引装置（１９０２）から利益を得ることのある手術器具の中には、熱伝導、ジアテルミー、無線周波、及びレーザー手術法を用いる、電気手術器具を含むものもある。
【０１７０】
図１９Ｂは、手術器具を備えた吸引装置（１９００）を示す分解図である。図１９Ｂに示される要素は図１９Ａと同じである。簡潔さのために、これら要素についてはこれ以上説明しない。
【０１７１】
作動時に、圧力入力部（１９２６）は正圧の流れを受ける。圧力入力部（１９２６）は、流体加速装置（１９３４）に正圧の流れを供給する。流体加速装置（１９３４）は、入力ポート（１９０４）と吸気ポート（１９１０）の近くに低圧領域を生じさせるように構成される。流体加速装置（１９３４）は、コアンダ効果を利用して低圧領域を生じさせるように構成され得る。低圧領域は周囲の気圧より下の圧力である。この圧力差により、吸引装置（１９０２）に物質の流れが引き込まれる。流体加速装置（１９３４）は環状の圧力間隙を含む。幾つかの実施形態において、環状の圧力間隙は調節自在な寸法を含む。環状の圧力間隙の調節自在な寸法の調節は、吸引装置（１９０２）による液体、固体、及び気体の吸引の吸引比率を調節する。物質の流れは、入力ポート（１９０４）により受けられて、ルーメン（１９０８）に含まれる第２のルーメンに供給される。第２のルーメンは、加圧された出力ポート（１９０６）に連結される。物質の流れ、及び圧力入力部（１９２６）から受けられる圧力は、正圧流出物を形成するために流体加速装置（１９３４）において組み合わされ得る。加圧された出力ポート（１９０６）は、正圧流出物を放出するように構成される。加圧された出力ポート（１９０６）は、少なくとも収集容器、フィルタ、流体分離器、排水管、又は吸引源に連結されてもよい。
【０１７２】
図２０Ａは、手術器具を備えた吸引装置（２０００）を示す略図である。手術器具を備えた吸引装置（２０００）は、吸引装置（２００２）と手術器具（２０３２）を含む。
【０１７３】
手術器具を備えた吸引装置（２０００）は、吸引装置（２００２）を含む。吸引装置（２００２）は、吸引装置（１００）、吸引装置（２０２）、吸引装置（４００）、吸引装置（５００）、吸引装置（６０２）、吸引装置（８００）、吸引装置（９０２）、吸引装置（１３０２）、及び吸引装置（１５０２）の例であるが、手術器具を備えた吸引装置（２０００）は代替的な構成又は作動方法を含み得る。吸引装置（２００２）は、入力ポート（２００４）、吸引ポート（２００６）、吸引ルーメン（２００８）、器具用保持具（２０１２）、吸引制御部（２０１６）、ノズル取り付け部（２０２４）、及びノズル（２０２６）を含む。
【０１７４】
吸引装置（２００２）は入力ポート（２００４）を含む。入力ポート（２００４）は、吸引装置（２００２）の遠位端に面して配置される。吸引ルーメン（２００８）は、吸引ポート（２００６）に入力ポート（２００４）を連結するように構成される。入力ポート（２００４）は、ノズル（２０２６）からの物質の流れを受けるように構成される。物質の流れは、液体、気体、及び固体を含み得る。物質の流れは、体液、手術の副産物、及び煙を含み得る。入力ポート（２００４）は、吸引ルーメン（２００８）へと物質の流れを供給するように構成される。
【０１７５】
吸引装置（２００２）は吸引ポート（２００６）を含む。吸引ポート（２００６）は、吸引装置（２００２）の近位端に配置される。吸引ポート（２００６）は、手術器具（２０３２）に対する角度にて構成される。この角度により、チューブ又はホースを、手術器具（２０３２）に干渉することなく吸引ポート（２００６）に連結することができる。吸引ポート（２００６）は吸引ルーメン（２００８）に連結される。吸引ポート（２００６）は、吸引ルーメン（２００８）からの物質の流れを受けるように構成される。吸引ポート（２００６）は、物質の流れを放出するように構成される。吸引ポート（２００６）は吸引源に連結するように構成される。吸引源は、真空ポンプ、吸引器、コアンダ効果を利用するように構成された正圧作動式吸引源、又は吸引をもたらす他の幾つかの手段を含み得る。幾つかの実施形態において、吸引システムは、物質の流れから廃棄物を除去するために、吸引ポート（２００６）と吸引源との間に配置された分離器を含んでもよい。
【０１７６】
吸引装置（２００２）は吸引ルーメン（２００８）を含む。吸引ルーメン（２００８）は吸引装置（２００２）内に配置される。吸引ルーメン（２００８）は、吸引ポート（２００６）に入力ポート（２００４）を連結するように構成される。吸引ルーメン（２００８）は、障害物が吸引装置（２００２）から除去されることを可能にするように構成された開口部を含む。手術器具（２０３２）は、吸引ルーメン（２００８）へのアクセスを可能にするために吸引装置（２００２）から取り外されてもよい。
【０１７７】
吸引装置（２００２）は器具用保持具（２０１２）を含む。器具用保持具（２０１２）は、手術器具（２０３２）に吸引装置（２００２）を連結するように構成される。器具用保持具（２０１２）は、手術器具（２０３２）を、ツールの使用無しに吸引装置（２００２）に着脱させることを可能にする。器具用保持具（２０１２）は、手術器具（２０３２）の迅速な着脱を可能にするクリップ型構造を含む。幾つかの実施形態において、器具用保持具（２０１２）は、手術器具の特定の型とモデルを受けるように構成されてもよい。
【０１７８】
吸引装置（２００２）は吸引制御部（２０１６）を含む。吸引制御部（２０１６）は、吸引装置（２００２）へと引き込まれる液体、固体、及び気体の吸引比率を調節するように構成される。吸引制御部（２０１６）は、ノズル（２０２６）の位置の調節により液体、固体、及び気体の比率を調節し得る。吸引制御部（２０１６）は、入力ポート（２００４）にて含まれる吸気ポート（２０１０）の寸法を調節するように構成され得る。吸引制御部（２０１６）は摺動部材を含む。吸引制御部（２０１６）は、吸引装置（２００２）により吸引される液体、固体、及び気体の比率を選択的に調節するためにノズル（２０２６）を延ばし且つ引っ込ませるように構成されてもよい。幾つかの実施形態において、吸引制御部（２０１６）は、吸引制御部（２０１６）の位置を固定するための手段を含み得る。吸引制御部（２０１６）を固定するための手段は、戻り止め、摩擦嵌合、ノッチ、又は吸引制御部（２０１６）の位置を固定するための他の幾つかの手段を含み得る。
【０１７９】
吸引装置（２００２）は、ノズル取り付け部（２０２４）（図２０Ｂに示される）を含む。ノズル取り付け部（２０２４）は、意図した用途に適した様々な異なるノズル（２０２６）を受けるように構成される。ノズル取り付け部（２０２４）は、吸引装置（２００２）にノズル（２０２６）を連結するためのねじを含む。幾つかの実施形態において、ノズル取り付け部（２０２４）は、ルアーロック、急速着脱式継手、又はノズル（２０２６）の取り付けを可能にするように構成された他の幾つかの継手を含み得る。
【０１８０】
吸引装置（２００２）はノズル（２０２６）を含む。ノズル（２０２６）は、ノズル取り付け部（２０２４）に連結するように構成される。ノズル（２０２６）の形状と構成は、意図した用途によって変動し得る。例えば、図２０Ａと２０Ｂは、ノズル（２０２６）の２つの異なる実施形態を示す。
【０１８１】
手術器具を備える吸引装置（２０００）は手術器具（２０３２）を含む。手術器具（２０３２）は、吸引装置（２００２）から利益を得ることのある任意の手術器具であり得る。吸引装置（２００２）から利益を得ることのある手術器具の中には、熱伝導、ジアテルミー、無線周波、及びレーザー手術法を用いる、電気手術器具を含むものもある。
【０１８２】
図２０Ｂは、手術器具を備えた吸引装置（２０００）を示す分解図である。図２０Ｂに示される要素は図２０Ａと同じである。簡潔さのために、これら要素についてはこれ以上説明しない。
【０１８３】
図２１Ａは、手術器具を備えた吸引装置（２１００）を示す略図である。手術器具を備えた吸引装置（２１００）は、吸引装置（２１０２）と手術器具（２１３２）を含む。
【０１８４】
手術器具を備えた吸引装置（２１００）は、吸引装置（２１０２）を含む。吸引装置（２１０２）は、吸引装置（１００）、吸引装置（２０２）、吸引装置（４００）、吸引装置（５００）、吸引装置（６０２）、吸引装置（８００）、吸引装置（９０２）、吸引装置（１３０２）、及び吸引装置（１５０２）の例であるが、手術器具を備えた吸引装置（２１００）は代替的な構成又は作動方法を含み得る。吸引装置（２１０２）は、入力ポート（２１０４）、吸引ポート（２１０６）、吸引ルーメン（２１０８）、器具用保持具（２１１２）、吸引制御部（２１１６）、ノズル取り付け部（２１２４）、及びノズル（２１２６）を含む。
【０１８５】
吸引装置（２１０２）は入力ポート（２１０４）を含む。入力ポート（２１０４）は、吸引装置（２１０２）の遠位端に面して配置される。吸引ルーメン（２１０８）は、吸引ポート（２１０６）に入力ポート（２１０４）を連結するように構成される。入力ポート（２１０４）は、ノズル（２１２６）からの物質の流れを受けるように構成される。物質の流れは、液体、気体、及び固体を含み得る。物質の流れは、体液、手術の副産物、及び煙を含み得る。入力ポート（２１０４）は、吸引ルーメン（２１０８）へと物質の流れを供給するように構成される。
【０１８６】
吸引装置（２１０２）は吸引ポート（２１０６）を含む。吸引ポート（２１０６）は、吸引装置（２１０２）の近位端に配置される。吸引ポート（２１０６）は吸引ルーメン（２１０８）に連結される。吸引ポート（２１０６）は、吸引ルーメン（２１０８）からの物質の流れを受けるように構成される。吸引ポート（２１０６）は、物質の流れを放出するように構成される。吸引ポート（２１０６）は吸引源に連結するように構成される。吸引源は、真空ポンプ、吸引器、コアンダ効果を利用するように構成された正圧作動式吸引源、又は吸引をもたらす他の幾つかの手段を含み得る。幾つかの実施形態において、吸引システムは、物質の流れから廃棄物を除去するために、吸引ポート（２１０６）と吸引源との間に配置された分離器を含んでもよい。
【０１８７】
吸引装置（２１０２）は吸引ルーメン（２１０８）を含む。吸引ルーメン（２１０８）は吸引装置（２１０２）内に配置される。吸引ルーメン（２１０８）は、吸引ポート（２１０６）に入力ポート（２１０４）を連結するように構成される。吸引ルーメン（２１０８）は、障害物が吸引装置（２１０２）から除去されることを可能にするように構成された開口部を含む。手術器具（２１３２）は、吸引ルーメン（２１０８）へのアクセスを可能にするために吸引装置（２１０２）から取り外されてもよい。
【０１８８】
吸引装置（２１０２）は器具用保持具（２１１２）を含む。器具用保持具（２１１２）は、手術器具（２１３２）に吸引装置（２１０２）を連結するように構成される。器具用保持具（２１１２）は、手術器具（２１３２）を、ツールの使用無しに吸引装置（２１０２）に着脱させることを可能にする。器具用保持具（２１１２）は、手術器具（２１３２）の迅速な着脱を可能にするクリップ型構造を含む。幾つかの実施形態において、器具用保持具（２１１２）は、手術器具（２１３２）の特定の型とモデルを受けるように構成されてもよい。
【０１８９】
吸引装置（２１０２）は吸引制御部（２１１６）を含む。吸引制御部（２１１６）は、吸引装置（２１０２）へと引き込まれる液体、固体、及び気体の吸引比率を調節するように構成される。吸引制御部（２１１６）は、手術装置（２１３２）に関するノズル（２１２６）の位置の調節により、吸引装置により吸引される液体、固体、及び気体の比率を調節し得る。吸引制御部（２１１６）は摺動部材を含む。吸引制御部（２１１６）は、片手による調節のために構成されてもよい。幾つかの実施形態において、吸引制御部（２１１６）は、吸引制御部（２１１６）の位置を固定するための手段を含む。吸引制御部（２１１６）を固定するための手段は、戻り止め、摩擦嵌合、ノッチ、又は吸引制御部（２１１６）の位置を固定するための他の幾つかの手段を含み得る。
【０１９０】
吸引装置（２１０２）は、ノズル取り付け部（２１２４）（図２１Ｂに示される）を含む。ノズル取り付け部（２１２４）は、意図した用途に適した様々な異なるノズル（２１２６）を受けるように構成される。ノズル取り付け部（２１２４）は、吸引装置（２１０２）にノズル（２１２６）を連結するための急速着脱式継手を含む。幾つかの実施形態において、ノズル取り付け部（２１２４）は、ねじ、ルアーロック、又はノズル（２１２６）の取り付けを可能にするように構成された他の幾つかの継手を含み得る。
【０１９１】
吸引装置（２１０２）はノズル（２１２６）を含む。ノズル（２１２６）は、ノズル取り付け部（２１２４）に連結するように構成される。ノズル（２１２６）の形状と構成は、意図した用途によって変動し得る。ノズル（２１２６）は市販で入手可能なノズルでもよい。
【０１９２】
手術器具を備える吸引装置（２１００）は手術器具（２１３２）を含む。手術器具（２１３２）は、吸引装置（２１０２）から利益を得ることのある任意の手術器具であり得る。吸引装置（２１０２）から利益を得ることのある手術器具の中には、熱伝導、ジアテルミー、無線周波、及びレーザー手術法を用いる、電気手術器具を含むものもある。
【０１９３】
図２１Ｂは、手術器具を備えた吸引装置（２１００）を示す分解図である。図２１Ｂに示される要素は図２１Ａと同じである。簡潔さのために、これら要素についてはこれ以上説明しない。
【０１９４】
図２１Ｃは、障害物が生じた場合における、手術器具を備えた吸引装置（２１００）の作動を示す略図である。図２１Ｃは、障害物（２１５０）を含む、手術器具を備えた吸引装置（２１００）を示す。障害物（２１５０）は、物質の流れ（２１２０）の全て又は一部が、吸引装置（２１０２）を通過するのを妨げ得る。
【０１９５】
図２１Ｄは、手術器具を備えた吸引装置（２１００）の障害物を取り除く（ｃｌｅａｒｉｎｇ）ための作動を示す略図である。器具用保持具（２１１２）は、手術器具（２１３２）を、ツール又は他の装置の使用無しに吸引装置（２１０２）に着脱させることを可能にする。障害物（２１５０）が、物質の流れが吸引装置（２１０２）を通過するのを妨げる場合、手術器具（２１３２）は、障害物（２１５０）を除去するために吸引装置（２１０２）から取り外されてもよい。
【０１９６】
図２１Ｄは、吸引装置（２１０２）から取り外された手術器具（２１３２）を示す。器具用保持具（２１１２）は、吸引装置（２１０２）からの手術器具（２１３２）の着脱を可能にするように構成される。図２１Ｄは、吸引装置（２１０２）から取り外された手術器具（２１３２）を示す。吸引ルーメン（２１０８）は、手術器具（２１３２）が吸引装置（２１０２）から取り外される場合に、障害物（２１５０）を取り除くためにアクセスされ得る。図２１Ｄは、吸引装置（２１０２）から除去された障害物（２１５０）を示す。
【０１９７】
図２２は、手術器具を備えた吸引装置を作動させる方法を示す略図である。図２２に示された工程は、手術器具を備えた吸引装置（２１００）の１つ以上の要素により実行され得る。手術器具は吸引装置に取り付けられる（２２０２）。例えば、吸引装置（２１０２）は器具用保持具（２１１２）を含む。器具用保持具（２１１２）は、吸引装置（２１０２）へ手術器具（２１３２）を取り付けるように構成される。器具用保持具（２１１２）は、手術器具（２１３２）が、ツールの使用無しに吸引装置（２１０２）に迅速に着脱されるように構成される。吸引は、吸引装置の吸引ポートに適用される（２２０４）。例えば、吸引ポート（２１０６）は吸引源に連結するように構成される。吸引源は、吸引装置（２１０２）の吸引ポート（２１０６）に吸引を適用するように構成される。吸引装置の入力ポートの近くに低圧領域が作られる（２２０６）。例えば、吸引装置（２１０２）は、吸引源から吸引装置（２１０２）のノズル（２１２６）の近くに低圧領域を生じさせるように構成される。幾つかの実施形態において、入力ポート（２１０４）はノズル（２１２６）無しに使用されてもよい。液体、固体、及び気体の吸引比率は、ノズルの近くで調節される（２２０８）。例えば、吸引装置（２１０２）は吸引制御部（２１１６）を含む。吸引制御部（２１１６）は、吸引装置（２１０２）により吸引される液体、固体、及び気体の比率を調節するように構成される。物質の流れが、入力ポートに引き込まれる（２２１０）。例えば、入力ポート（２１０４）は、物質の流れ（２１２０）を受けるように構成される。低圧領域（２１２２）は周囲の気圧より下の圧力である。低圧領域（２１２２）は、入力ポート（２１０４）へと物質の流れ（２１２０）を引き込むように構成される。手術器具は、障害物が発生する場合に吸引装置から取り外される（２２１２）。例えば、器具用保持具（２１１２）は、手術器具（２１３２）が吸引装置（２１０２）から容易に取り外されるのを可能にするように構成される。障害物は吸引装置から除去される（２２１４）。例えば、吸引ルーメン（２１０８）は、手術器具（２１３２）が取り外される場合に、障害物（２１５０）が除去されることを可能にするように構成される開口部を含む。
【０１９８】
図２３Ａは、手術器具を備えた吸引装置（２３００）を示す略図である。手術器具を備えた吸引装置（２３００）は、吸引装置（２３０２）と手術器具（２３３２）を含む。
【０１９９】
手術器具を備えた吸引装置（２３００）は、吸引装置（２３０２）を含む。吸引装置（２３０２）は、吸引装置（１００）、吸引装置（２０２）、吸引装置（４００）、吸引装置（５００）、吸引装置（６０２）、吸引装置（８００）、吸引装置（９０２）、吸引装置（１３０２）、及び吸引装置（１５０２）の例であるが、吸引装置（２３０２）は代替的な構成及び作動方法を含み得る。吸引装置（２３０２）は、入力ポート（２３０４）、吸引ポート（２３０６）、吸引ルーメン（２３０８）、器具用保持具（２３１２）、及び吸引制御部（２３１６）を含む。吸引装置（２３０２）は吸引源に連結するように構成される。吸引源は、真空ポンプ、吸引器、コアンダ効果を利用するように構成された正圧作動式吸引源、又は吸引をもたらす他の幾つかの手段であり得る。吸引源は、入力ポート（２３０４）の近くに低圧領域を生じさせるように構成される。低圧領域は、周囲の気圧より下の圧力であり、これにより物質の流れが入力ポート（２３０４）へと引き込まれる。吸引装置（２３０２）は、器具用保持具（２３１２）を介して手術器具（２３３２）に連結するように構成される。
【０２００】
吸引装置（２３０２）は入力ポート（２３０４）を含む。入力ポート（２３０４）は、吸引装置（２３０２）の遠位端に面して配置される。入力ポート（２３０４）は吸引ルーメン（２３０８）に連結される。入力ポート（２３０４）は、物質の流れを受けるように構成される。物質の流れは、液体、気体、及び固体を含み得る。物質の流れは、体液、手術の副産物、及び煙を含み得る。入力ポート（２３０４）は、吸引ルーメン（２３０８）へと物質の流れを供給するように構成される。
【０２０１】
吸引装置（２３０２）は吸引ポート（２３０６）を含む。吸引ポート（２３０６）は、吸引装置（２３０２）の近位端に配置される。吸引ポート（２３０６）は吸引ルーメン（２３０８）に連結される。吸引ポート（２３０６）は、吸引ルーメン（２３０８）からの物質の流れを受けるように構成される。吸引ポート（２３０６）は、物質の流れを放出するように構成される。吸引ポート（２３０６）は吸引源に連結するように構成される。吸引源は、真空ポンプ、吸引器、コアンダ効果を利用するように構成された正圧作動式吸引源、又は吸引をもたらす他の幾つかの手段を含み得る。
【０２０２】
吸引装置（２３０２）は吸引ルーメン（２３０８）を含む。吸引ルーメン（２３０８）は吸引装置（２３０２）内に配置される。吸引ルーメン（２３０８）は、吸引ポート（２３０６）に入力ポート（２３０４）を連結するように構成される。吸引ルーメン（２３０８）は、吸引ルーメン（２３０８）へのアクセスを可能にするように構成される開口部を含む。吸引ルーメン（２３０８）の開口部はガスケット（２３１４）により閉じられる。ガスケット（２３１４）は可撓性材料で構成される。障害物が生じる場合、手術器具（２３３２）は、ガスケット（２３１４）にアクセスするために除去されてもよい。ガスケット（２３１４）は、吸引ルーメン（２３０８）内の障害物を取り除くために操作され得る。
【０２０３】
吸引装置（２３０２）は器具用保持具（２３１２）を含む。器具用保持具（２３１２）は、手術器具（２３３２）に吸引装置（２３０２）を連結するように構成される。器具用保持具（２３１２）は、手術器具（２３３２）を、ツールの使用無しに吸引装置（２３０２）に着脱させることを可能にする。器具用保持具（２３１２）は、ツール無しでの手術器具（２３３２）の迅速な着脱を可能にするクリップ型構造を含むように構成される。幾つかの実施形態において、器具用保持具（２３１２）は、手術器具の特定の型とモデルを受けるように構成されてもよい。
【０２０４】
吸引装置（２３０２）はガスケット（２３１４）を含む。ガスケット（２３１４）は、吸引装置（２３０２）と手術器具（２３３２）との間に密封をもたらすように構成される。ガスケット（２３１４）は、吸引源からの吸引が吸引装置（２３０２）と手術器具（２３３２）の界面の間に漏れるのを妨げ得る。ガスケット（２３１４）は可撓性材料で構成される。障害物が生じる場合、手術器具（２３３２）は、ガスケット（２３１４）にアクセスするために除去されてもよい。ガスケット（２３１４）は、吸引ルーメン（２３０８）内の障害物を取り除くために操作され得る。
【０２０５】
吸引装置（２３０２）は吸引制御部（２３１６）を含む。吸引制御部（２３１６）は、吸引装置（２３０２）へと引き込まれる液体、固体、及び気体の吸引比率を調節するように構成される。吸引制御部（２３１６）は、ノズル（２３２６）の位置の調節により、吸引装置（２３０２）により吸引される液体、固体、及び気体の比率を調節し得る。吸引制御部（２３１６）は摺動部材を含む。摺動部材は、吸引装置（２３０２）により吸引される液体、固体、及び気体の比率を選択的に調節するためにノズル（２３２６）を延ばし且つ引っ込ませるように構成されてもよい。幾つかの実施形態において、吸引制御部（２３１６）は、吸引制御部（２３１６）の位置を固定するための手段を含み得る。吸引制御部（２３１６）を固定するための手段は、戻り止め、摩擦嵌合、ノッチ、又は吸引制御部（２３１６）の位置を固定するための他の幾つかの手段を含み得る。
【０２０６】
手術器具を備える吸引装置（２３００）は手術器具（２３３２）を含む。手術器具（２３３２）は、吸引装置（２３０２）から利益を得ることのある任意の手術器具であり得る。吸引装置（２３０２）から利益を得ることのある手術器具の中には、熱伝導、ジアテルミー、無線周波、及びレーザー手術法を用いる、電気手術器具を含むものもある。
【０２０７】
図２３Ｂは、手術器具を備えた吸引装置（２３００）を示す分解図である。図２３Ｂに示される要素は図２３Ａと同じである。簡潔さのために、これら要素についてはこれ以上説明しない。
【０２０８】
図２３Ｃは、障害物が生じた場合における、手術器具を備えた吸引装置（２３００）の作動を示す略図である。障害物（２３５０）は、物質の流れ（２３２０）の全て又は一部が、吸引装置（２３０２）を通過するのを妨げ得る。
【０２０９】
図２３Ｄは、手術器具を備えた吸引装置（２３００）の障害物を取り除くための作動を示す略図である。器具用保持具（２３１２）は、手術器具（２３３２）を、ツール又は他の装置の使用無しに吸引装置（２３０２）に着脱させることを可能にする。障害物（２３５０）が、物質の流れが吸引装置（２３０２）を通過するのを妨げる場合、手術器具（２３３２）は、障害物（２３５０）を除去するために吸引装置（２３０２）から取り外されてもよい。
【０２１０】
図２４は、吸引装置を作動させる方法を示す略図である。図２４に示された工程は、手術器具を備えた吸引装置（２３００）の１つ以上の要素により実行され得る。手術器具は吸引装置に取り付けられる（２４０２）。例えば、吸引装置（２３０２）は器具用保持具（２３１２）を含む。器具用保持具（２３１２）は、吸引装置（２３０２）へ手術器具（２３３２）を取り付けるように構成される。器具用保持具（２３１２）は、手術器具（２３３２）が、吸引装置（２３０２）に迅速に着脱されるように構成される。吸引は、吸引装置の吸引ポートに適用される（２４０４）。例えば、吸引ポート（２３０６）は吸引源に連結するように構成される。吸引源は、吸引装置（２３０２）の吸引ポート（２３０６）に吸引を適用するように構成される。吸引装置の入力ポートの近くに低圧領域が作られる（２４０６）。例えば、吸引装置（２３０２）は、吸引源から吸引装置（２３０２）の入力ポート（２３０４）の近くに低圧領域（２３２２）を生じさせるように構成される。液体、固体、及び気体の吸引比率は、ノズルの近くで調節される（２４０８）。例えば、吸引装置（２３０２）は吸引制御部（２３１６）を含む。吸引制御部（２３１６）は、吸引装置（２３０２）により吸引される液体、固体、及び気体の比率を調節するように構成される。物質の流れが、入力ポートに引き込まれる（２４１０）。例えば、入力ポート（２３０４）は、物質の流れ（２３２０）を受けるように構成される。低圧領域（２３２２）は周囲の気圧より下の圧力である。低圧領域（２３２２）は、入力ポート（２３０４）へと物質の流れ（２３２０）を引き込むように構成される。手術器具は、障害物が発生する場合に吸引装置から取り外される（２４１２）。例えば、器具用保持具（２３１２）は、手術器具（２３３２）を、ツール又は他の装置の使用により吸引装置（２３０２）から容易に取り外すことを可能にする。障害物を取り除くためにガスケットが操作される（２４１４）。例えば、吸引装置（２３０２）はガスケット（２３１４）を含む。ガスケット（２３１４）は可撓性の膜を含む。可撓性の膜は、吸引ルーメン（２３０８）の大きさと形状を変化させるために操作され得る。吸引ルーメン（２３０８）の大きさと形状を変化させることで、障害物（２３５０）が取り除かれ得る。障害物は吸引ポートから放出される（２４１６）。例えば、図２３Ｄは、ガスケット（２３１４）が操作された後に、吸引ルーメン（２３０８）から取り除かれた障害物（２３５０）を示す。障害物（２３５０）は、物質の流れ（２３２０）と共に吸引ポート（２３０６）から排出される。
【０２１１】
図２５Ａは、手術器具を備えた吸引装置（２５００）を示す略図である。手術器具を備えた吸引装置（２５００）は、吸引装置（２５０２）と手術器具（２５３２）を含む。
【０２１２】
手術器具を備えた吸引装置（２５００）は、吸引装置（２５０２）を含む。吸引装置（２５０２）は、吸引装置（１００）、吸引装置（２０２）、吸引装置（４００）、吸引装置（５００）、吸引装置（６０２）、吸引装置（８００）、吸引装置（９０２）、吸引装置（１３０２）、及び吸引装置（１５０２）の例であるが、吸引装置（２５０２）は代替的な構成及び作動方法を含み得る。吸引装置（２５０２）は、入力ポート（２５０４）、吸引ポート（２５０６）、吸引ルーメン（２５０８）、器具用保持具（２５１２）、ガスケット（２５１４）、及び吸引制御部（２５１６）を含む。吸引装置（２５０２）は吸引源に連結するように構成される。吸引源は、真空ポンプ、吸引器、コアンダ効果を利用するように構成された正圧作動式吸引源、又は吸引をもたらす他の幾つかの手段であり得る。吸引源は、入力ポート（２５０４）の近くに低圧領域を生じさせるように構成される。低圧領域は、周囲の気圧より下の圧力であり、これにより物質の流れが入力ポート（２５０４）へと引き込まれる。吸引装置（２５０２）は、器具用保持具（２５１２）を介して手術器具（２５３２）に連結するように構成される。
【０２１３】
吸引装置（２５０２）は入力ポート（２５０４）を含む。入力ポート（２５０４）は、吸引装置（２５０２）の遠位端に面して配置される。入力ポート（２５０４）は吸引ルーメン（２５０８）に連結される。入力ポート（２５０４）は、物質の流れを受けるように構成される。物質の流れは、液体、気体、及び固体を含み得る。物質の流れは、体液、手術の副産物、及び煙を含み得る。入力ポート（２５０４）は、吸引ルーメン（２５０８）へと物質の流れ（２５２０）を供給するように構成される。
【０２１４】
吸引装置（２５０２）は吸引ポート（２５０６）を含む。吸引ポート（２５０６）は、吸引装置（２５０２）の近位端に配置される。吸引ポート（２５０６）は吸引ルーメン（２５０８）に連結される。吸引ポート（２５０６）は、吸引ルーメン（２５０８）からの物質の流れを受けるように構成される。吸引ポート（２５０６）は、物質の流れを放出するように構成される。吸引ポート（２５０６）は吸引源に連結するように構成される。吸引源は、真空ポンプ、吸引器、コアンダ効果を利用するように構成された正圧作動式吸引源、又は吸引をもたらす他の幾つかの手段を含み得る。
【０２１５】
吸引装置（２５０２）は吸引ルーメン（２５０８）を含む。吸引ルーメン（２５０８）は吸引装置（２５０２）内に配置される。吸引ルーメン（２５０８）は、吸引ポート（２５０６）に入力ポート（２５０４）を連結するように構成される。ガスケット（２５１４）は、障害物除去ポート（２５４０）を含む。障害物除去ポート（２５４４）は、吸引ルーメン（２５０８）へのアクセスを可能にするように構成される。
【０２１６】
吸引装置（２５０２）は器具用保持具（２５１２）を含む。器具用保持具（２５１２）は、手術器具（２５３２）に吸引装置（２５０２）を連結するように構成される。器具用保持具（２５１２）は、手術器具（２５３２）を、ツールの使用無しに吸引装置（２５０２）に着脱させることを可能にする。器具用保持具（２５１２）は、ツール無しでの手術器具（２５３２）の迅速な着脱を可能にするクリップ型構造を含むように構成される。幾つかの実施形態において、器具用保持具（２５１２）は、手術器具の特定の型とモデルを受けるように構成されてもよい。
【０２１７】
吸引装置（２５０２）はガスケット（２５１４）を含む。ガスケット（２５１４）は、障害物除去ポート（２５４０）と吸引制御部位置決め装置（２５４２）を含む。ガスケット（２５１４）は、吸引装置（２５０２）と手術器具（２５３２）の間に密封をもたらすように構成される。密封により吸引の漏れが妨げられ得る。ガスケット（２５１４）は、障害物除去ポート（２５４０）を含む。障害物除去ポート（２５４０）はガスケット（２５１４）内の開口部である。障害物除去ポート（２５４０）は、障害物が吸引装置（２５０２）から除去されるのを可能にするために、入力ポート（２５０４）の近位端と吸引ルーメン（２５０８）の遠位端へのアクセスを可能にする。手術器具（２５３２）が装置（２５０２）を吸引するように連結される場合、障害物除去ポート（２５４０）は手術器具（２５３２）の一部により閉じられる。
【０２１８】
吸引装置（２５０２）は吸引制御部（２５１６）を含む。吸引制御部（２５１６）は、吸引装置（２５０２）へと引き込まれる液体、固体、及び気体の吸引比率を調節するように構成される。吸引制御部（２５１６）は、手術器具（２５３２）の作業端に関する入力ポート（２５０４）の位置の調節により、吸引装置（２５０２）により吸引される液体、固体、及び気体の比率を調節し得る。吸引制御部（２５１６）は摺動部材を含む。摺動部材は、吸引装置（２５０２）により吸引される液体、固体、及び気体の比率を選択的に調節するために入力ポート（２５０４）を延ばし且つ引っ込ませるように構成されてもよい。ガスケット（２５１４）は、吸引制御部位置決め装置（２５４２）を含む。吸引制御部位置決め装置（２５４２）はガスケット（２５１４）に統合される機能である。吸引制御部位置決め装置（２５４２）は、吸引制御部（２５１６）の位置を保持するために摩擦力を使用する。
【０２１９】
手術器具を備える吸引装置（２５００）は手術器具（２５３２）を含む。手術器具（２５３２）は、吸引装置（２５０２）から利益を得ることのある任意の手術器具であり得る。吸引装置（２５０２）から利益を得ることのある手術器具の中には、熱伝導、ジアテルミー、無線周波、及びレーザー手術法を用いる、電気手術器具を含むものもある。
【０２２０】
図２５Ｂは、手術器具を備えた吸引装置（２５００）を示す分解図である。図２５Ｂに示される要素は図２５Ａと同じである。簡潔さのために、これら要素についてはこれ以上説明しない。
【０２２１】
図２５Ｃは、障害物が生じた場合における、手術器具を備えた吸引装置（２５００）の作動を示す略図である。障害物（２５５０）は、物質の流れ（２５２０）の全て又は一部が、吸引装置（２５０２）を通過するのを妨げ得る。図２５Ｃに示されるように、障害物（２５５０）は、物質の流れ（２５２０）が吸引ルーメン（２５０８）を通過するのを遮断している。
【０２２２】
図２５Ｄは、手術器具を備えた吸引装置（２５００）の障害物を取り除くための作動を示す略図である。器具用保持具（２５１２）は、手術器具（２５３２）を、ツール又は他の装置の使用無しに吸引装置（２５０２）に着脱させることを可能にする。障害物（２５５０）が、物質の流れが吸引装置（２５０２）を通過するのを妨げる場合、手術器具（２５３２）は、障害物除去ポート（２５４０）にアクセスするために吸引装置（２５０２）から取り外されてもよい。障害物除去ポート（２５４０）は、手術器具（２５３２）が吸引装置（２５０２）から取り外される場合に、入力ポート（２５０４）及び吸引ルーメン（２５０８）へのアクセスを可能にするように構成される。障害物（２５５０）は、障害物除去ポート（２５４０）を介して吸引装置（２５０２）から除去され得る。
【０２２３】
図２６は、手術器具を備えた吸引装置を作動させる方法を示す略図である。図２６に示された工程は、手術器具を備えた吸引装置（２５００）の１つ以上の要素により実行され得る。手術器具は吸引装置に取り付けられる（２６０２）。例えば、吸引装置（２５０２）は器具用保持具（２５１２）を含む。器具用保持具（２５１２）は、吸引装置（２５０２）へ手術器具（２５３２）を取り付けるように構成される。器具用保持具（２５１２）は、手術器具（２５３２）が、ツール又は他の装置の使用無しに吸引装置（２５０２）に迅速に着脱されるように構成される。吸引は、吸引装置の吸引ポートに適用される（２６０４）。例えば、吸引ポート（２５０６）は吸引源に連結するように構成される。吸引源は、吸引装置（２５０２）の吸引ポート（２５０６）に吸引を適用するように構成される。吸引装置の入力ポートの近くに低圧領域が作られる（２６０６）。例えば、吸引装置（２５０２）は、吸引源から吸引装置（２５０２）の入力ポート（２５０４）の近くに低圧領域（２５２２）を生じさせるように構成される。液体、固体、及び気体の吸引比率は、ノズルの近くで調節される（２６０８）。例えば、吸引装置（２５０２）は吸引制御部（２５１６）を含む。吸引制御部（２５１６）は、吸引装置（２５０２）により吸引される液体、固体、及び気体の比率を調節するように構成される。物質の流れが、入力ポートに引き込まれる（２６１０）。例えば、入力ポート（２５０４）は、物質の流れ（２５２０）を受けるように構成される。低圧領域（２５２２）は周囲の気圧より下の圧力である。低圧領域（２５２２）は、入力ポート（２５０４）へと物質の流れ（２５２０）を引き込むように構成される。手術器具は、障害物が発生する場合に吸引装置から取り外される（２６１２）。例えば、器具用保持具（２５１２）は、手術器具（２５３２）を、ツール又は他の装置の使用により吸引装置（２５０２）から容易に取り外すことを可能にする。障害物は、ガスケットの障害物除去ポートを通って除去される（２６１４）。例えば、吸引装置（２５０２）はガスケット（２５１４）を含む。ガスケット（２５１４）は、障害物除去ポート（２５４０）を含む。障害物除去ポート（２５４０）は、入力ポート（２５０４）及び吸引ルーメン（２５０８）へのアクセスを可能にするように構成される。障害物（２５５０）は、障害物除去ポート（２５４０）を介して吸引装置（２５０２）から除去され得る。
【０２２４】
本発明の前述の記載は、実例と記載の目的のために提示されたものである。この記載は、完全なものとなるように、又は、本発明を開示される正確な形態に限定するようには意図されておらず、他の改良と変形が、上記の教示に照らして可能となる場合もある。本発明の原理及びその実用化について最良の説明をし、それにより、熟慮された特定の使用に適するように様々な実施形態及び様々な改良において当業者が本発明を最良に利用することを可能にするために、実施形態が選択され且つ記載された。添付の請求項は、先行技術により限定されるという点を除いて、本発明の他の代替的実施例を含むように構築されることが、意図されている。
【０２２５】
図２７はエマルジョン部分を示す。エマルジョン部分は、入力ポートと、入力ポートと吸引ポートの間に配置された１つ以上の吸気ポートとの間に配され得る。エマルジョン部分は、内部ルーメンと外部ルーメンを含み得る。内部ルーメンは、物質の流れ（２７０２）の少なくとも一部が通過する、１以上の穴（２７０１ａ）−（２７０１ｃ）を含み得る。１以上の穴（２７０１ａ）−（２７０１ｃ）は、内部ルーメンの長さに沿って等間隔に置かれ得る。１以上の穴（２７０１ａ）−（２７０１ｃ）は、内部ルーメンの長さに沿って円周方向に直列で間隔を置かれ得る。１以上の穴（２７０１ａ）−（２７０１ｃ）は、内部ルーメンの長さに沿ってドーナツ状又は螺旋状に間隔を置かれ得る。物質の流れ（２７０２）の少なくとも一部が１以上の穴を通過するので、物質の流れの液体部分（２７０３）は、泡又は液体−気体の混合物（２７０４）を作成するために、物質の流れの気体部分と混合され得る。物質の流れ（２７０２）を泡立たせるエマルジョン部分は、ａ）物質の流れを軽くし、ｂ）組織などの固体表面への吸引付着を妨げるために入力ポートでの過剰な吸引を妨げ、ｃ）入力ポートでの吸引付着を減らす又は克服し、ｄ）術野を視覚化し及び／又は煙などの気体を除去することを助け、又はｅ）これらの任意の組み合わせを行い得る。図３０はまた、装置に挿入される又は統合され得る手術器具（３００１）を示す、装置の断面を示す。物質の流れは、装置の長さに沿って入力ポート（３００２）又は吸気ポート（３００３ａ）−（３００３ｂ）に侵入し得る。
【０２２６】
図２８は、装置の断面、及び、装置に侵入して通過し得る物質の流れの流路を示す。手術器具（２８０３）は、吸引装置に挿入されるか、又は統合され得る。例えば術野からの物質の流れ（２８０４ａ）−（２８０４ｂ）は、入力ポート（２８０２）にて吸引装置に侵入するか、又は入力ポート上の１以上の吸気ポート（図示せず）に侵入し得る。例えば術野からの付加的な物質の流れ（２８０５ａ）−（２８０５ｂ）は、吸引装置上の１以上の吸気ポート（２８０１ａ）−（２８０１ｂ）にて吸引装置に侵入し得る。
【０２２７】
図２９と３７は、狭窄部又はベンチュリ効果によってルーメンにおいてもたらされる圧力差を示す。圧力は、より広い領域のより高い圧力と比べて、ルーメンの狭窄部においてより低い場合がある。この圧力差は、装置を通る物質の流れから結果として生じ得る。入力速度（３７０１）及び出力速度（３７０３）などの、より広い領域のより低い流速及びより高い圧力と比べて、流速は、ルーメンの狭窄部においてより大きく、圧力はより低い。１以上の吸気ポート（３７０４）は狭窄部に位置し得る。より広い領域の角度（３７０２）は、一定であり、又はベンチュリ効果を最大限にするよう調節自在であり得る。角度（３７０２）は約１５度でもよい。角度（３７０２）は、約１０度から約４５度まででもよい。角度（３７０２）は、約５、１０、１５、２０、２５、３０、３５、４０、又は４５度でもよい。
【０２２８】
図３１Ａと３１Ｂは、吸気ポート（３１０１）及び（３１０２）、及びスカラップ形縁部（ｓｃａｌｌｏｐｅｄ  ｅｄｇｉｎｇ）（３１０３）の配置を示す。１以上の吸気ポート（３１０２）が入力ポート上に配され得る。１以上の吸気ポート（３１０１）は、入力ポートと吸引ポートとの間にあってもよい。装置の縁は、流れ領域からの気体又は液体の捕捉を向上させ、又は物質の流れを向上させるように改変され得る。例えば、装置の縁は、１以上のスカラップ形縁部（３１０３）を含み得る。
【０２２９】
図３２Ａ、３２Ｂ、及び３２Ｃは、装置の様々な構成要素の構成を示す３つの個別のフロー図を示す。作動先端（３２０２）を備えた手術器具（３２３２）は、装置（３２００）に挿入又は統合され得る。例えば術野などからの、低圧領域（３２２２）からの物質の流れ（３２２０）は、ａ）入力ポート（３２０４）、ｂ）入力ポート（３２０４）上の１以上の吸気ポート（３２１０）、ｃ）入力ポート（３２０４）と吸引ポート（３２０６）との間の１以上の吸気ポート（３２１０）、又はｄ）それらの任意の組み合わせから吸引ルーメン（３２０８）に侵入し得る。装置は更に吸引制御部（３２１６）を含み得る。装置は更に障害物除去ポート（３２１２）を含み得る。装置は、吸引源（３２１８）に操作自在に接続され得る。装置は、動力供給装置（３２１４）に操作自在に接続され得る。
【０２３０】
図３３は、装置（３３００）の断面を示す。手術器具（３３０１）は、装置（３３００）に挿入されるか、又は統合され得る。物質の流れは、ａ）入力ポート（３３０２）、ｂ）１以上の吸気ポート（３３０３）から吸引ルーメン（３３０４）に侵入し得る。
【０２３１】
図３４Ａ、３４Ｂ、３５、及び３６は、吸気ポートの無い装置（３４Ａ及び３５）、及び吸気ポート（３４０１）を備えた装置（３４Ｂ及び３６）を取り囲む流れ領域の計算流体力学（ＣＦＤ）のプロットを示す。装置を取り囲む吸引の領域は、吸気ポートの無い装置（３４Ａ及び３５）と比較して、１以上の吸気ポートを備えた状態で（３４Ｂ及び３６）少なくとも２倍増大し得る。装置を取り囲む吸引の領域は、吸気ポートの無い装置と比較して、少なくとも１倍、１．５倍、２倍、２．５倍、３倍、３．５倍、４倍、４．５倍、５倍、１０倍、又はそれ以上増大し得る。装置を取り囲む吸引の領域は、吸気ポートの無い装置と比較して、少なくとも１倍以上増大し得る。装置を取り囲む吸引の領域は、吸気ポートの無い装置と比較して、少なくとも２倍以上増大し得る。装置を取り囲む吸引の領域は、吸気ポートの無い装置と比較して、少なくとも３倍以上増大し得る。装置を取り囲む吸引の領域は、吸気ポートの無い装置と比較して、少なくとも４倍以上増大し得る。
【０２３２】
図３８、３９、４０、及び４１は、装置（３８００、３９００、４０００、４１００）の断面を示しており、入力ポート（４００４、４１０４）の後ろにあり、及び装置と手術器具（３８０２、３９０２、４００２、４１０２）との間に形成された吸引ルーメン（３８０３、３９０３、４００３、４１０３）に沿って位置付けられる、１以上の吸気ポート（３８０１、３９０１ａ−３９０１ｂ、４００１ａ−４００１ｂ、４１０１ａ−４１０１ｂ）の位置決めを示している。
【０２３３】
入力ポートはスカラップ形状を含み得る。１以上の吸気ポートはスカラップ形状を含んでもよい。スカラップ形状は、２重のスカラップ、３重のスカラップ、４重のスカラップ、又はそれ以上であり得る。スカラップ形状は、鈍端入力ポートなどの他の形状と比較して、入力ポートにて術野からの気体及び液体の捕捉又は収集を増大させ得る。スカラップ形状は、層流を改善する、又は入力ポートにて吸引能力を増強させるといったように、吸引ルーメン内の流れのプロファイルを変更し得る。
【０２３４】
１以上の吸気ポートは、入力ポート上に配置され、又は入力ポートと吸引ポートの間に配置されるか、或いはそれらの組み合わせであってもよい。１以上の吸気ポートは、２、３、４、５、又はそれ以上であり得る。入力ポート上の１以上の吸気ポートは３つでもよい。入力ポート上の１以上の吸気ポートは４つでもよい。入力ポート上の１以上の吸気ポートは５つでもよい。入力ポートと吸引ポートとの間にある１以上の吸気ポートは、１つでもよい。入力ポートと吸引ポートとの間にある１以上の吸気ポートは、２つでもよい。入力ポートと吸引ポートとの間にある１以上の吸気ポートは、３つでもよい。入力ポートと吸引ポートとの間にある１以上の吸気ポートは、４つでもよい。入力ポートと吸引ポートとの間にある１以上の吸気ポートは、５つでもよい。
【０２３５】
装置に１以上の吸気ポートを加えることで、術野からの物質の補足及び吸引が増大され、術野の可視度が改善され、手術野内の有毒又は有害な構成要素に対するユーザーの曝露を減らし、又はそれらの任意の組み合わせが行われ得る。装置に１以上の吸気ポートを加えることで、装置の吸引能力が増強され得る。例えば、吸引能力は、吸気ポートの無い吸引装置と比較して、少なくとも約１倍、１．５倍、２倍、２．５倍、３倍、３．５倍、４倍、４．５倍、５倍、１０倍、又はそれ以上増大し得る。吸引能力は、吸気ポートの無い吸引装置と比較して、少なくとも約２倍増大し得る。吸引能力は、吸気ポートの無い吸引装置と比較して、少なくとも約３倍増大し得る。吸引能力は、吸気ポートの無い吸引装置と比較して、少なくとも約１．５倍増大し得る。
【０２３６】
吸引領域は、吸気ポートの無い吸引装置と比較して、吸気ポートを備えた吸引装置において増大し得る。例えば、吸引領域は、吸気ポートの無い吸引装置と比較して、少なくとも約１倍、１．５倍、２倍、２．５倍、３倍、３．５倍、４倍、４．５倍、５倍、１０倍、又はそれ以上増大し得る。吸引領域は、吸気ポートの無い吸引装置と比較して、少なくとも約２倍増大し得る。吸引領域は、吸気ポートの無い吸引装置と比較して、少なくとも約１．５倍増大し得る。
【０２３７】
吸引ルーメンの形状又は幾何学的形状は、吸引ルーメンを通って移動する物質の流れの流れのプロファイルを変えるように調節され得る。この形状又は幾何学的形状は、層流を増強するように調節されてもよい。この形状又は幾何学的形状は、装置の吸引能力を増強するように調節されてもよい。この形状又は幾何学的形状は、術野からの物質の流れの捕捉を増強するように調節されてもよい。幾つかの実施形態において、形状は、吸引ルーメンと流体連通下にある１以上の吸気ポートの１以上の縁であり得る。１以上の縁は、装置の本体に対して９０度未満の角度を形成し得る。１以上の縁は、約８５、８０、７５、７０、６５、６０、５５、５０、４５、４０、３５、３０、２５、２０、１４、又は約１０度未満の角度を形成し得る。１以上の縁は、約６０から８０度までの角度を形成し得る。１以上の縁は、約３５から約５５度までの角度を形成し得る。
【０２３８】
１以上の吸気ポートは、吸引装置の入力ポートにて吸引を増強し得る。１以上の吸気ポートは入力ポート上に位置付けられてもよい。１以上の吸気ポートは、入力ポートと吸引ポートとの間に位置付けられてもよい。入力ポートと吸引ポートを接続し、且つ１以上の吸気ポートと流体連通下にある、吸引ルーメンは、吸引ルーメンの直径の減少部などの、１以上の狭窄部を有し得る。吸引ルーメンの狭窄部にて、圧力が下がり、及び吸引ルーメンを通過する物質の流れの流速が増大し得る。１以上の吸気ポートは、狭窄部の直後に最も高い流速の領域に位置付けられ得る。１以上の吸気ポートは狭窄部に位置付けられ得る。１以上の吸気ポートは、狭窄部の周囲に直列で円周方向に位置付けられ得る。１以上の吸気ポートは、吸引ルーメンにおける狭窄部の最も狭い点に位置付けられ得る。
【０２３９】
１以上の吸気ポートは、吸引ルーメンに流体接続され、且つ装置の円周方向に位置付けられてもよい。１以上の吸気ポートは、装置の片側に沿って直列で位置付けられ得る。１以上の吸気ポートは、装置の長さの一部に沿ってドーナツ状又は螺旋状に位置付けられ得る。１以上の吸気ポートは、装置の長さの一部に沿って無作為に位置付けられ得る。１以上の吸気ポートは、装置の一部の上に集まってもよい。１以上の吸気ポートは、入力ポートにて同じ直径の開口部を有していてもよい。１以上の吸気ポートは、入力ポートの直径の約３／４、１／２、１／３、１／４、１／５、１／６、１／７、１／８、１／１６、又はそれ以下の直径の開口部を有し得る。１以上の吸気ポートは、入力ポートの直径の約３／４以下の直径の開口部を有し得る。１以上の吸気ポートは、入力ポートの直径の約１／２以下の直径の開口部を有し得る。１以上の吸気ポートは、入力ポートの直径の約１／４以下の直径の開口部を有し得る。１以上のフィルタが、装置に取り付け自在、又はそれに統合されてもよい。１以上のフィルタは、１以上の吸気ポートの一部を覆うか、又はその全領域を実質的に覆う場合がある。１以上のフィルタは、術野からの固体が、１以上の吸気ポートを介して吸引ルーメンに侵入するのを妨げ得る。１以上のフィルタは、約１００マイクロメートル以下の孔径を含み得る。１以上のフィルタは、約５００マイクロメートル以下の孔径を含み得る。１以上のフィルタは、約２００マイクロメートル以下の孔径を含み得る。１以上のフィルタは、約７５マイクロメートル以下の孔径を含み得る。１以上のフィルタは、約５０マイクロメートル以下の孔径を含み得る。
【０２４０】
吸引装置は、エマルジョン部分を含み得る。エマルジョン部分は、入力ポートと吸引ポートとの間に位置付けられてもよい。エマルジョン部分は、入力ポートと、入力ポートと吸引ポートの間に配置された１つ以上の吸気ポートとの間に位置付けられ得る。エマルジョン部分は、内部ルーメンと外部ルーメンを含み得る。内部ルーメンは１以上の穴を含み得る。物質の流れが入力ポートを介して装置に侵入するので、泡又は液体−気体のエマルジョンを生じさせるために、吸引により、エマルジョン部分の１以上の穴を通って物質の流れの少なくとも一部が引き寄せられ得る。１以上の穴（２７０１ａ）−（２７０１ｃ）は、内部ルーメンの長さに沿ってドーナツ状又は螺旋状に間隔を置かれ得る。
【０２４１】
吸引装置は、手術器具などの器具に取り付けるように構成される本体を含み得る。吸引装置は、手術器具などの器具に統合されるか、又はその上に形成される本体を含み得る。本体は、入力ポート、吸引ポート、及び入力ポートを吸引ポートに連結する本体内に配置された吸引ルーメンを含み得る。入力ポートは本体の遠位端に面して配置され得る。入力ポートは、物質の流れを受けるように構成され得る。入力ポートは鈍い縁を有し得る。入力ポートは、術野などの場所からの物質の流れの捕捉を増強するように構成される縁を有し得る。入力ポートは、スカラップ縁、２重のスカラップ縁、又は複数のスカラップ縁を有し得る。入力ポートは１以上の吸気ポートを含み得る。吸引ポートは本体の近位端に面して配置され得る。吸引ポートは、コアンダ効果又は正圧作動式流体加速装置により生成された吸引源などの吸引源に連結するように構成され得る。吸引装置は、吸引ルーメンと流体連通下にある１以上の吸気ポートを含み得る。１以上の吸気ポートは、入力ポート上に位置付けられ、又は入力ポートと吸引ポートの間に位置付けられるか、或いはそれらの組み合わせであってもよい。
【０２４２】
手術器具に取り付け自在な吸引装置は更に器具用保持具を含み得る。器具用保持具は、吸引装置の本体に手術器具を連結するように構成され得る。吸引装置は更にガスケットを含み得る。ガスケットは本体内に配置され、吸引装置と手術器具との間に密封をもたらすように構成され得る。ガスケットは１以上の可撓性の膜を含み得る。可撓性の膜は、吸引装置からの障害物の除去を可能にし得る。ユーザーは、吸引装置から障害物を除去するために手術器具を取り外してもよい。
【０２４３】
吸引装置は更に吸引制御部を含み得る。吸引制御部は、ユーザーにより調節自在となるように構成され得る。吸引制御部は、自動調節自在となるように構成され得る。吸引制御部は、コンピュータからなどのように、離れた場所から調節自在となるように構成され得る。吸引制御部は、吸引装置の入力ポートにて吸引能力を調節し得る。吸引制御部は、術野などの場所からの気体排出の速さ、液体排出の速さ、又はそれらの組み合わせを調節し得る。吸引制御部は、気体が場所から排出され、液体が場所から排出され、又はそれらの組み合わせとなるように調節され得る。吸引制御部は、ユーザーにより調節されるか、又は装置により得られた作用に基づき自動調節され得る。例えば、手術器具が作動モードに設定されて道管を焼灼する場合、吸引制御部は、術野から気体を吸引又は除去するようにユーザーにより調節されるか、又は自動調節され得る。手術器具が作動モードに設定されて組織を切断する場合、吸引制御部は、術野から気体及び液体を吸引するようにユーザーにより調節されるか、又は自動調節され得る。吸引装置の吸引能力が術野における組織表面に過度の吸引付着を引き起こしかねない場合、吸引制御部は、ユーザーにより減少されるか、又は自動調節され得る。
【０２４４】
吸引制御部は、装置に対する任意の数の機械的調節により調節され得る。例えば、吸引装置は、調節自在となるように構成された摺動部材を含み得る。摺動部材は、入力ポートでの気体排出、液体排出、又はそれらの組み合わせを調節し得る。摺動部材は、物質の流れが１以上の吸気ポートに侵入するのを減らす又は止めるために、１以上の吸気ポートを部分的に又は完全に閉じる場合がある。摺動部材は、直線状の摺動機械要素、円周方向の摺動機械要素、又はそれらの組み合わせを含み得る。
【０２４５】
吸引制御部は１以上の戻り止めを含み得る。１以上の戻り止めは、例えば摩擦力を用いて、ユーザー制御又は自動制御された位置において吸引制御部を位置付けるように構成され得る。戻り止めは、１以上の歯把持部（ｔｅｅｔｈ  ｇｒｉｐｐｅｒｓ）、連続的又は個々のノッチ、又はそれらの任意の組み合わせを含み得る。
【０２４６】
吸引装置は１以上のノズルを含み得る。１以上のノズルは、吸引装置に取り付け自在、又はそれに統合されてもよい。１以上のノズルは入力ポート上に、又はそれに隣接して位置付けられてもよい。１以上のノズルは１以上の吸気ポートを含み得る。１以上のノズルは、鈍い縁、スカラップ縁、２重のスカラップ縁、又は他の幾何学的形状の縁を含み得る。
【０２４７】
１以上の吸気ポートは、１以上のノズル上に、入力ポート上に、又は入力ポートと吸引ポートとの間に置かれ得る。１以上の吸気ポートは吸引ルーメンと流体連通下にあってもよい。１以上の吸気ポートは、鈍い縁、スカラップ縁、２重以上のスカラップ縁を含み得る。１以上の吸気ポートの形状は、術野からの物質の流れの捕捉又は吸引を増強するように構成され得る。１以上の吸気ポートの形状は、吸引ルーメン内の層流を増強させるように構成され得る。吸引ルーメンの形状は、吸引ルーメン内の層流を増強させるように構成され得る。吸気ポートが吸引ルーメンの内面に流体接続する点では、この点の形状は、術野からの物質の流れを最適に捕捉又は吸引するように、及び／又は吸引ルーメン内の層流を増強させるように構成され得る。形状は平ら又は湾曲してもよい。形状は、鋭い又は鈍い縁を減らすように構成され得る。形状は、吸引ルーメンと流体連通下にある１以上の吸気ポートの縁であり、この縁は、吸引装置の本体に対して９０度未満の角度を形成する。１以上の吸気ポートの形成は、吸引ルーメンに流体接続する全ての縁の形成を含み得る。手術器具などの器具の位置決めも、術野からの物質の流れの捕捉又は吸引を増強する、又は吸引ルーメン内の層流を増強させ得る。例えば、吸気ポートに直接対向する手術器具の平滑表面の位置決めは、器具の角を成した縁と比較して、吸引ルーメン内の層流を増強させ得る。
【０２４８】
吸引装置は１以上のフィルタを含み得る。フィルタは、吸引装置の外面に取り付け自在であり、吸引装置の内部に統合され、又はそれらの組み合わせであってもよい。フィルタは、１以上の吸気ポートに隣接する吸引装置の外面に置かれ得る。フィルタは、１以上の吸気ポートを部分的又は完全に覆い得る。フィルタは、術野からの固体が、１以上の吸気ポートを介して吸引装置に侵入して吸引ルーメン内の障害物を妨げることを防ぎ得る。フィルタは、約５００、２００、１５０、１００、７５、５０マイクロメートル以下の孔径を含み得る。
【０２４９】
１以上の吸気ポートは、１、２、３、４、５、６、７、８、９、１０、又はそれ以上のポートを含み得る。１以上の吸気ポートは３つのポートでもよい。１以上の吸気ポートは４つのポートでもよい。１以上の吸気ポートは５つのポートでもよい。１以上の吸気ポートは６つのポートでもよい。１以上の吸気ポートは７つのポートでもよい。１以上の吸気ポートは８つのポートでもよい。吸気ポートの数の変更は、吸引能力、吸引領域、気体と液体の吸引比率、吸引付着、又はそれらの任意の組み合わせを変更し得る。多くの吸気ポートの開放又は閉鎖は、活動する吸気ポートの数を変更し、これにより、吸引能力、吸引領域、気体と液体の吸引比率、吸引付着、又はそれらの任意の組み合わせを変更し得る。１以上の吸気ポートの開放、又は入力ポートへの付加的なポート追加は、吸引付着を減少させ得る。１以上の吸気ポートの開放、又は入力ポートと吸引ポートの間に配置される付加的なポートの追加は、吸引付着を減少させ得る。
【０２５０】
吸引装置は、液体を吸引するのに理想的な液体モードで作動し得る。吸引装置は、気体と液体の両方を吸引するのに理想的な、気体−液体モードで作動し得る。吸引装置は、例えば摺動部材又はスイッチを操作するユーザーにより、液体モードと気体−液体モードの間で調節され得る。吸引装置は、二者択一の（ｂｉｎａｒｙ）方法（オン−オフのスイッチ）又は段階的な方法（チューナーダイヤル）で、液体モードと気体−液体モードとの間で調節され得る。例えば、吸気ポートが閉じられ又は部分的に閉じられる場合、吸引装置は液体モードで作動し得る。例えば、吸気ポートが開かれ又は部分的に開かれる場合、吸引装置は気体−液体モードで作動し得る。
【０２５１】
入力ポートと吸引ポートとの間に配置される吸気ポートは、吸引能力を最大限にするために吸引ルーメンの狭窄部に位置付けられ得る。入力ポートと吸引ポートとの間に配置される吸気ポートは、吸引能力を減少させるために吸引ルーメンの拡大部に位置付けられ得る。吸引装置は、手術器具を取り囲む多孔質のスキャフォールドと共に構成され、その内容積は間に吸引ルーメンを形成する。２部のシース（ｓｈｅａｔｈ）が、多孔質スキャフォールドの周辺に配置されてもよい。多孔質スキャフォールドは、スキャフォールドの接続部の厚みと数を最小限にし、且つスキャフォールドの開放面領域を最大限にし得る。スキャフォールドに隣接して、且つスキャフォールドの周辺を取り囲むように適合される、２部のシースは、環状開口部などのシースの２部品の間に間隙空間を形成し得る。シースの２部品の間の間隙空間は、他に記載されるような吸気ポートと同様に術野からの物質の流れを受けるために、吸引ルーメンと流体連通下にあってもよい。このような設計の構成は、吸気ポートの位置決めの調節により、広範な吸引能力にわたって吸引装置を調節することを可能にし得る。吸引ルーメンの狭窄部に隣接している間隙空間を動かすことで、吸引能力が増大され、吸引領域が増大され、気体−液体吸引が可能となり得る。吸引ルーメンの狭窄部から離れた間隙空間を動かすことで、吸引能力が減少され、吸引領域が減少され、主に液体吸引が可能となり得る。
【０２５２】
吸引ルーメンの狭窄部にて開放面領域を最大限にすることで、吸引装置の吸引能力が最大限にされ得る。吸気ポートの数を最大限にすることで、開放面領域が最大限にされ得る。個々の吸気ポートの開放面領域を最大限にすることで、吸引装置の吸引能力が最大限にされ得る。吸引装置は、手術器具を取り囲む２部のシースを含み、その内容積は間に吸引ルーメンを形成する。２部のシースのシース部品の１つ又は各々は、シースの内面の周辺に配置されると共に、手術器具へシースの一部を機械的に固定させるために手術器具を接触させる、１以上のセットの径方向リブ又はファンブレードを含み得る。２部のシースを備えた吸引装置は、環状開口部などの間隙空間を含み得る。２部のシースの２部品の間の間隙空間は、他に記載されるような吸気ポートと同様に術野からの物質の流れを受けるために、吸引ルーメンと流体連通下にあってもよい。そのような設計の構成は、吸引ルーメンの狭窄部にて開放面領域を最大限にすることで、吸引装置の吸引能力を最大限にすることを可能にし得る。
【図１】
0006799539.tif 000002
【図２】
0006799539.tif 000003
【図３】
0006799539.tif 000004
【図４】
0006799539.tif 000005
【図５】
0006799539.tif 000006
【図６】
0006799539.tif 000007
【図７】
0006799539.tif 000008
【図８】
0006799539.tif 000009
【図９】
0006799539.tif 000010
【図１０】
0006799539.tif 000011
【図１１Ａ】
0006799539.tif 000012
【図１１Ｂ】
0006799539.tif 000013
【図１１Ｃ】
0006799539.tif 000014
【図１２】
0006799539.tif 000015
【図１３Ａ】
0006799539.tif 000016
【図１３Ｂ】
0006799539.tif 000017
【図１３Ｃ】
0006799539.tif 000018
【図１４】
0006799539.tif 000019
【図１５】
0006799539.tif 000020
【図１６】
0006799539.tif 000021
【図１７Ａ】
0006799539.tif 000022
【図１７Ｂ】
0006799539.tif 000023
【図１７Ｃ】
0006799539.tif 000024
【図１８Ａ】
0006799539.tif 000025
【図１８Ｂ】
0006799539.tif 000026
【図１８Ｃ】
0006799539.tif 000027
【図１９Ａ】
0006799539.tif 000028
【図１９Ｂ】
0006799539.tif 000029
【図２０Ａ】
0006799539.tif 000030
【図２０Ｂ】
0006799539.tif 000031
【図２１Ａ】
0006799539.tif 000032
【図２１Ｂ】
0006799539.tif 000033
【図２１Ｃ】
0006799539.tif 000034
【図２１Ｄ】
0006799539.tif 000035
【図２２】
0006799539.tif 000036
【図２３Ａ】
0006799539.tif 000037
【図２３Ｂ】
0006799539.tif 000038
【図２３Ｃ】
0006799539.tif 000039
【図２３Ｄ】
0006799539.tif 000040
【図２４】
0006799539.tif 000041
【図２５Ａ】
0006799539.tif 000042
【図２５Ｂ】
0006799539.tif 000043
【図２５Ｃ】
0006799539.tif 000044
【図２５Ｄ】
0006799539.tif 000045
【図２６】
0006799539.tif 000046
【図２７】
0006799539.tif 000047
【図２８】
0006799539.tif 000048
【図２９】
0006799539.tif 000049
【図３０】
0006799539.tif 000050
【図３１】
0006799539.tif 000051
【図３２Ａ】
0006799539.tif 000052
【図３２Ｂ】
0006799539.tif 000053
【図３２Ｃ】
0006799539.tif 000054
【図３３】
0006799539.tif 000055
【図３４Ａ】
0006799539.tif 000056
【図３４Ｂ】
0006799539.tif 000057
【図３５】
0006799539.tif 000058
【図３６】
0006799539.tif 000059
【図３７】
0006799539.tif 000060
【図３８】
0006799539.tif 000061
【図３９】
0006799539.tif 000062
【図４０】
0006799539.tif 000063
【図４１】
0006799539.tif 000064